(57)【特許請求の範囲】
【請求項１】
マルチモード端末を補助して通信の機会を発見する方法であって、
マルチモード端末がサービス基地局から送信した第二通信モードに関するカバレッジ指示情報を受信することと、
前記マルチモード端末が前記カバレッジ指示情報に基づいて、第二通信モードに基づく通信の機会を発見することとを含み、
前記第二通信モードに関するカバレッジ指示情報はカバレッジ・レシオを含み、
前記カバレッジ・レシオはマルチモード端末或いはユーザの後続判断を補助するために用いられ、
前記判断の方法は、
マルチモード端末がカバレッジ・レシオに基づいて、第二通信モードの信号へのスキャン／測定を起動するか否かを判断すること、
マルチモード端末がカバレッジ・レシオに基づいて、第二通信モードの信号へのスキャン／測定の周期／頻度を確定し、及び／又は第二通信モードサービス領域を発見するための持続判断時間を確定すること、
ユーザが特定インタフェース技術或いはモードの通信モジュールを起動するか否かを決定するために、マルチモード端末がカバレッジ・レシオをユーザに提供することのうちの少なくとも一つを含むことを特徴とする、
マルチモード端末を補助して通信の機会を発見する方法。
【請求項２】
前記第二通信モードに関するカバレッジ指示情報はさらに、測定評価パラメータ情報を含み、或いは、セル又はセルセット情報を含み、或いは、キャリア周波数情報を含み、或いは、特定インタフェース技術／モードの帯域情報、キャリア周波数情報、セル情報、サービスセット情報、ネットワークオペレーター情報、負荷情報、能力情報及び省エネルギー状態情報のうちの少なくとも一つを含むことを特徴とする
請求項１に記載のマルチモード端末を補助して通信の機会を発見する方法。
【請求項３】
前記マルチモード端末が前記カバレッジ指示情報に基づいて、第二通信モードに基づく通信の機会を発見することは、
前記カバレッジ指示情報がマルチモード端末のサービスセルとデフォルト関連されると、マルチモード端末が第二通信モードのサービス領域を発見すること、
或いは、前記マルチモード端末が前記カバレッジ指示情報におけるセル或いはセルセットにおけるセルを発見すると、マルチモード端末が第二通信モードのサービス領域を発見すること、
或いは、前記マルチモード端末が前記カバレッジ指示情報における指示されたキャリア周波数を発見すると、マルチモード端末が第二通信モードのサービス領域を発見すること、
或いは、マルチモード端末が測定評価パラメータ情報に基づいて、第二通信モードのサービス領域を発見するか否かを判断すること、を含むことを特徴とする
請求項２に記載のマルチモード端末を補助して通信の機会を発見する方法。
【請求項４】
マルチモード端末が特定インタフェース技術／モードの帯域情報、キャリア周波数情報、セル情報、サービスセット情報、ネットワークオペレーター情報、負荷情報、能力情報及び省エネルギー状態情報のうちの少なくとも一つに基づいて、第二通信モードに基づいて通信することができるか否かを判断することを特徴とする
請求項２に記載のマルチモード端末を補助して通信の機会を発見する方法。
【請求項５】
前記第二通信モードは、ＷＩＦＩ、ＩＭＴ−２０２０通信インタフェース技術、高帯域通信キャリア周波数／インタフェース技術、ＦＤＤ通信モード、ＴＤＤ通信モードのうちの少なくとも一つを含むことを特徴とする
請求項１に記載のマルチモード端末を補助して通信の機会を発見する方法。
【請求項６】
マルチモード端末であって、
前記マルチモード端末は、送受信モジュールと操作モジュールを含み、
送受信モジュールは、サービス基地局から送信した第二通信モードに関するカバレッジ指示情報を受信するように構成され、
操作モジュールは、前記送受信モジュールが受信した前記カバレッジ指示情報に基づいて、第二通信モードに基づく通信の機会を発見するように構成され、
前記第二通信モードに関するカバレッジ指示情報は、カバレッジ・レシオを含み、
前記操作モジュールは、具体的には前記カバレッジ・レシオに基づいて後続の判断を補助するために用いられ、
前記判断の方法は、
カバレッジ・レシオに基づいて、第二通信モードの信号へのスキャン／測定を起動するか否かを判断すること、
カバレッジ・レシオに基づいて、第二通信モードの信号へのスキャン／測定の周期／頻度を確定し、及び／又は第二通信モードサービス領域を発見するための持続判断時間を確定すること、
ユーザが特定インタフェース技術或いはモードの通信モジュールを起動するか否かを決定するために、カバレッジ・レシオをユーザに提供することのうちの少なくとも一つを含むことを特徴とする、
マルチモード端末。
【請求項７】
前記第二通信モードに関するカバレッジ指示情報はさらに、測定評価パラメータ情報を含み、或いは、セル又はセルセット情報を含み、或いは、キャリア周波数情報を含み、或いは、特定インタフェース技術／モードの帯域情報、キャリア周波数情報、セル情報、サービスセット情報、ネットワークオペレーター情報、負荷情報、能力情報及び省エネルギー状態情報のうちの少なくとも一つを含むことを特徴とする
請求項６に記載のマルチモード端末。
【請求項８】
前記処理モジュールは、前記カバレッジ指示情報はサービスセルとデフォルト関連されると、マルチモード端末は第二通信モードのサービス領域を発見し、
或いは、前記カバレッジ指示情報におけるセル或いはセルセットにおけるセルを発見すると、第二通信モードのサービス領域を発見し、
或いは、前記カバレッジ指示情報における指示されたキャリア周波数を発見すると、第二通信モードのサービス領域を発見し、
或いは、測定評価パラメータ情報に基づいて、第二通信モードのサービス領域を発見するか否かを判断するように構成されることを特徴とする
請求項７に記載のマルチモード端末。
【請求項９】
前記処理モジュールは、特定インタフェース技術／モードの帯域情報、キャリア周波数情報、セル情報、サービスセット情報、ネットワークオペレーター情報、負荷情報、能力情報及び省エネルギー状態情報のうちの少なくとも一つに基づいて、第二通信モードに基づいて通信することができるか否かを判断するように構成されることを特徴とする
請求項７に記載のマルチモード端末。
【請求項１０】
前記第二通信モードは、ＷＩＦＩ、ＩＭＴ−２０２０通信インタフェース技術、高帯域通信キャリア周波数／インタフェース技術、ＦＤＤ通信モード、ＴＤＤ通信モードのうちの少なくとも一つを含むことを特徴とする
請求項６に記載のマルチモード端末。
【発明の詳細な説明】
【技術分野】
【０００１】
本発明は移動通信分野に関し、特にマルチモード端末を補助して通信の機会を発見する方法、システム及び装置に関する。
【背景技術】
【０００２】
無線セルラ通信システムにおいて、無線通信システムはマルチモード端末に広範囲な無線通信を提供するために、カバレッジ範囲が大きい基地局を配置する必要があり、このような基地局は一般的にマクロ基地局（Ｍａｃｒｏ  ｅＮＢ或いはＭａｃｒｏ  ＢＳ，Ｍａｃｒｏ  Ｂａｓｅ  Ｓｔａｔｉｏｎ）と呼ばれ、そのサービスセルは一般的にマクロセル（Ｍａｃｒｏ  Ｃｅｌｌ）と呼ばれる。そのほか、ユーザの異なったニーズと異なった使用環境を考慮して、無線通信システムはある環境下で或いはシーン下でユーザに不感地帯を改善し或いはより高品質の無線通信サービス提供するため、あるカバレッジ範囲が小さく、伝送パワーが比較的低い小型基地局或いは伝送ノード（ＴＰ，Ｔｒａｎｓｍｉｓｓｉｏｎ  Ｐｏｉｎｔ）が採用される。上記小型基地局或いは伝送ノードはマイクロ基地局（Ｐｉｃｏ  ｅＮＢ或Ｐｉｃｏ  ＢＳ）或いはフェムト基地局（Ｆｅｍｔｏ  ｅＮＢ或Ｆｅｍｔｏ  ＢＳ）とすることができ、フェムト基地局はホーム基地局（ＨＮＢ或いはＨｅＮＢ）、極小型基地局、フライング基地局と呼ばれることができ、マイクロ基地局とホーム基地局の提供するセルはピコセル（ｐｉｃｏ  ｃｅｌｌ）とフェムトセル（ｆｅｍｔｏｃｅｌｌ）と呼ばれる。小型基地局に対応するノードは低パワー（Ｌｏｗ  Ｐｏｗｅｒ  Ｎｏｄｅ，ＬＰＮと略称する）とも呼ばれ、これらのノードに対応するセルは小さいセル（ｓｍａｌｌ  ｃｅｌｌ）とも呼ばれる。
【０００３】
無線セルラ通信システムは進化過程において徐々にマルチインタフェース技術が発展され、例えば第二世代移動通信技術におけるグローバル移動通信システム（ＧＳＭ，Ｇｌｏｂａｌ  Ｓｙｓｔｅｍ  ｆｏｒ  Ｍｏｂｉｌｅ  Ｃｏｍｍｕｎｉｃａｔｉｏｎｓ）と符号分割多元接続（ＣＤＭＡ，Ｃｏｄｅ  Ｄｉｖｉｓｉｏｎ  Ｍｕｌｔｉｐｌｅ  Ａｃｃｅｓｓ）であり、第三世代移動通信技術における広帯域符号分割多元接続（ＷＣＤＭＡ，Ｗｉｄｅｂａｎｄ  Ｃｏｄｅ  Ｄｉｖｉｓｉｏｎ  Ｍｕｌｔｉｐｌｅ  Ａｃｃｅｓｓ）、時分割複信符号分割多元接続（ＴＤ−ＳＣＤＭＡ，Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）、ＣＤＭＡ−２０００とワールドワイドインターオペラビリティフォーマイクロウェーブアクセス（Ｗｉｍａｘ，Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）であり、進化された第三世代或いは第四世代移動通信技術におけるロングタームエボリューション（ＬＴＥ，Ｌｏｎｇ  Ｔｅｒｍ  Ｅｖｏｌｕｔｉｏｎ）、エルティーイーアドバンスト（ＬＴＥ−Ａ  ＬＴＥ−Ａｄｖａｎｃｅｄ）及びＷｉｍａｘ２．０である。ある技術は対応する接続ネットワークの名称を有し、例えばＧＳＭはＧＳＭ／ＥＤＧＥ無線接続ネットワーク（ＧＥＲＡＮ，ＧＳＭ  ＥＤＧＥ  Ｒａｄｉｏ  Ａｃｃｅｓｓ  Ｎｅｔｗｏｒｋ）に対応し、ＷＣＤＭＡとＴＤ−ＳＣＤＭＡは汎用移動体通信システム地上波無線接続ネットワーク（ＵＴＲＡＮ，ＵＭＴＳ  Ｔｅｒｒｅｓｔｒｉａｌ  Ｒａｄｉｏ  Ａｃｃｅｓｓ  Ｎｅｔｗｏｒｋ）に対応し、ＬＴＥ／ＬＴＥ−Ａは進化されたＵＴＲＡＮ  （Ｅ−ＵＴＲＡＮ）に対応する。無線セルラ通信システム以外に、無線通信システムはさらに無線ローカルネットワーク（ＷＬＡＮ，Ｗｉｒｅｌｅｓｓ  Ｌｏｃａｌ  Ａｃｃｅｓｓ  Ｎｅｔｗｏｒｋ）を含む。ワイファイ（ＷＩＦＩ）のスペクトルはフリーかつＷＩＦＩチップのコストが低いため、無線ローカルネットワークのアクセスポイント（ＡＰ，Ａｃｃｅｓｓ  Ｐｏｉｎｔ）の配置と応用はオペレーターとユーザに安価な無線接続と負荷データ分散のアプローチを提供することができ、前記ＡＰ
も一つの低パワーノードとすることができる。
【０００４】
現在、無線通信技術は第五世代（５Ｇ）への発展中であり、上記各種の無線通信技術（５Ｇ無線通信技術と現在の無線通信技術を含む）は長期共存する可能性がある。マルチモード（マルチ動作キャリア周波数及び／又は多種接続インタフェース技術）端末の普及に従い、オペレーターはマルチモード端末に最適なＡＰ或いはサービス基地局を提供する機会があり、ユーザスループットを高めるとともにネットワーク負荷バランスとリソース利用の最適化を実現する。
【０００５】
したがって、端末とアクセスポイント或いは基地局との通信の機会を効果的に発見するインタフェース技術が必要になる。しかし、従来の端末によってアクセスポイント或いは基地局の各キャリア周波数／インタフェース技術に対し測定（或いはスキャンする）する方法は、マルチモード端末が複数のキャリア周波数、多種の接続インタフェース技術との間で頻繁に変換し及び測定するのを引き起こす可能性があり、それにより端末の消費電力が大きく、端末の耐久時間を低減しかつユーザエクスペリエンスを影響する。
【０００６】
そのほか、ＷＩＦＩ通信（例えばインターネットダウンロード）がほぼフリーの特徴（或いは新世代通信技術が従来の通信技術に対する通信技術料金がより低い特徴）はユーザのより多くの通信／ダウンロードニーズを促進することができ、例えば、多くのユーザがＷＩＦＩ接続サービスのある場所のみでウェブページをオープンし或いはデータをダウンロードする。しかし、従来技術において、ＷＩＦＩ通信モジュールをオンして接続可能性のあるＡＰが存在するか否かをリアルタイムでサーチするため、比較的高い消費電力を引き起こすこともできる。
【発明の概要】
【０００７】
これを鑑みて、本発明の実施例の目的はマルチモード端末を補助して通信の機会を発見する方法、システム及び装置を提供することである。
【０００８】
本発明の実施例はマルチモード端末を補助して通信の機会を発見する方法を提供し、該方法は、
マルチモード端末がネットワーク側から送信した第二通信モードに関するカバレッジ指示情報を受信することと、
前記マルチモード端末が前記カバレッジ指示情報に基づいて、第二通信モードに基づく通信の機会を発見することと、を含む。
【０００９】
上記解決手段において、前記マルチモード端末がネットワーク側から送信した第二通信モードに関するカバレッジ指示情報を受信することは、
マルチモード端末がサービス基地局から送信したマルチモード基地局の第一通信モードと第二通信モードとの共通カバレッジのカバレッジ指示情報を受信するのを含む。
【００１０】
上記解決手段において、前記方法はさらに、マルチモード端末がマルチモード基地局の第一通信モードの信号を測定することを含む。
【００１１】
上記解決手段において、前記第一通信モードは、前記マルチモード端末が現在動作しているキャリア周波数或いはインタフェース技術であり、前記第一通信モードの信号は同期信号、発見信号、基準信号、ビーコンを含むが、これらに限定されなく、
前記第二通信モードは、前記第一通信モード以外の一つ或いは複数のキャリア周波数及び／又は一つ或いは複数のインタフェース技術である。
【００１２】
上記解決手段において、前記マルチモード基地局の第一通信モードと第二通信モードと
の共通カバレッジのカバレッジ指示情報は、
マルチモード基地局の複数のキャリア周波数及び／又は複数のインタフェース技術のセル或いはアクセスポイントの情報であり、その中に基地局識別子、及び／又は地理位置識別子情報、及び／又はカバレッジ情報を含み、
或いは、共通基地局サイト（ｃｏ−ｓｉｔｅｄ）或いは共通カバレッジのセル／アクセスポイントの識別子或いは識別子範囲によって指示され、
或いは、セル／アクセスポイントの能力情報によって指示され、
或いは、二つ或いは複数の共通基地局サイト或いは共通カバレッジかつ同じ通信事業者のキャリア周波数及び／又はインタフェース技術である。
【００１３】
上記解決手段において、前記カバレッジ指示情報はさらに信号受信電力のオフセット値を指示し、
前記第二通信モードに基づく通信の機会を発見することは、前記マルチモード端末が前記オフセット値を用いて、第一通信モードの信号測定結果と組み合わせ、第二通信モードに基づいて通信することができるか否かを判断することを含む。
【００１４】
上記解決手段において、前記第二通信モードに基づく通信の機会を発見することは、
前記マルチモード端末が前記マルチモード基地局の第一通信モードへの信号測定結果に基づいて、前記第二通信モードの信号を測定し、第二通信モードに基づいて通信することができるか否かを判断すること、
或いは、前記マルチモード端末がサービス基地局に測定結果を報告し、前記サービス基地局が前記測定結果に基づいて、前記マルチモード端末に第二通信モードの信号測定を設定し、及び／又はサービス基地局が前記マルチモード端末を第二通信モードに切替／リダイレクトし、及び／又はネットワーク側が第一と第二通信モードを用いて前記マルチモード端末とジョイント送信を行うこと、
或いは、前記マルチモード端末が前記サービス基地局に情報を送信し、サービス基地局が前記情報に基づいて前記マルチモード端末に第二通信モードへの測定を設定し、及び／又はサービス基地局が前記情報に基づいて前記マルチモード端末が発見したマルチモード基地局に情報を送信するか否かを判断し、前記マルチモード端末がサービス基地局に送信した情報は、第二通信モードのサービス範囲に近づく指示情報、第一通信モードの信号への測定結果、推定された第二通信モードの信号の測定結果のうちの少なくとも一つを含むこと、
或いは、前記マルチモード端末が自動的に第二通信モードを選択し使用して通信すること、
或いは、前記マルチモード端末が前記マルチモード基地局の第二通信モードがサービスできるのを提示し、ユーザの手動選択結果に基づいて第二通信モードで通信すること、を含む。
【００１５】
上記解決手段において、前記マルチモード端末がサービス基地局から送信したマルチモード基地局の第一通信モードと第二通信モードとの共通カバレッジのカバレッジ指示情報を受信する前に、該方法はさらに、
前記サービス基地局が事前設定、或いはネットワーク管理システム、或いは基地局間のインタフェースによって、隣接した基地局がマルチモード基地局である情報を取得し、或いは隣接した複数のセルの共通基地局サイト或いは共通カバレッジの情報を取得することを含む。
【００１６】
上記解決手段において、前記第二通信モードに関するカバレッジ指示情報はカバレッジ・レシオを含む。
【００１７】
上記解決手段において、前記カバレッジ・レシオがマルチモード端末或いはユーザの後
続判断を補助するために用いられ、
前記判断の方法は、
マルチモード端末がカバレッジ・レシオに基づいて、第二通信モードの信号へのスキャン／測定を起動するか否かを判断すること、
マルチモード端末がカバレッジ・レシオに基づいて、第二通信モードの信号へのスキャン／測定の周期／頻度を確定し、及び／又は第二通信モードサービス領域を発見するための持続判断時間を確定すること、
ユーザが特定インタフェース技術或いはモードの通信モジュールを起動するか否かを決定するために、マルチモード端末がカバレッジ・レシオをユーザに提供することのうちの少なくとも一つを含む。
【００１８】
上記解決手段において、前記第二通信モードに関するカバレッジ指示情報は、セル或いはセルセット情報、或いは、キャリア周波数情報、或いは、特定インタフェース技術／モードの帯域情報、キャリア周波数情報、セル情報、サービスセット情報、ネットワークオペレーター情報を含む。
【００１９】
上記解決手段において、前記マルチモード端末に関するカバレッジ指示情報はさらに、測定評価パラメータ情報、負荷情報、能力情報、省エネルギー状態情報のうちの少なくとも一つを含む。
【００２０】
上記解決手段において、前記マルチモード端末が前記カバレッジ指示情報に基づいて、第二通信モードに基づく通信の機会を発見することは、
前記カバレッジ指示情報がマルチモード端末のサービスセルとデフォルト関連されると、マルチモード端末が第二通信モードのサービス領域を発見すること、
或いは、前記マルチモード端末が前記カバレッジ指示情報におけるセル或いはセルセットにおけるセルを発見すると、マルチモード端末が第二通信モードのサービス領域を発見すること、
或いは、前記マルチモード端末が前記カバレッジ指示情報における指示されたキャリア周波数を発見すると、マルチモード端末が第二通信モードのサービス領域を発見すること、
或いは、マルチモード端末が測定評価パラメータ情報に基づいて、第二通信モードのサービス領域を発見するか否かを判断すること、を含む。
【００２１】
上記解決手段において、マルチモード端末が特定インタフェース技術／モード帯域情報、キャリア周波数情報、セル情報、サービスセット情報、ネットワークオペレーター情報、負荷情報、能力情報、省エネルギー状態情報に基づいて、第二通信モードに基づいて通信することができるか否かを判断する。
【００２２】
上記解決手段において、前記第二通信モードはＷＩＦＩ、ＩＭＴ−２０２０通信インタフェース技術、高帯域通信キャリア周波数／インタフェース技術、ＦＤＤ通信モード、ＴＤＤ通信モードのうちの少なくとも一つを含む。
【００２３】
本発明はさらにマルチモード端末を提供し、前記マルチモード端末は送受信モジュールと操作モジュールを含み、
送受信モジュールは、第二通信モードに関するカバレッジ指示情報を受信するために用いられ、
操作モジュールは、前記送受信モジュールが受信した前記カバレッジ指示情報に基づいて、第二通信モードに基づく通信の機会を発見するために用いられる。
【００２４】
上記解決手段において、前記送受信モジュールは、具体的にはサービス基地局から送信
したマルチモード基地局の第一通信モードと第二通信モードとの共通カバレッジのカバレッジ指示情報を受信するために用いられる。
【００２５】
上記解決手段において、前記マルチモード端末はさらに、測定モジュールを含み、マルチモード基地局の第一通信モードの信号を測定するために用いられ、相応的に、前記操作モジュールは、さらに測定モジュールが取得した第一通信モードの測定結果を受信するために用いられる。
【００２６】
上記解決手段において、前記第一通信モードは、前記マルチモード端末が現在動作しているキャリア周波数或いはインタフェース技術と同様なキャリア周波数或いはインタフェース技術信号であり、前記信号は同期信号、発見信号、基準信号、ビーコンを含むが、これらに限定されなく、
前記第二通信モードは、第一通信モード以外の一つ或いは複数のキャリア周波数及び／又は一つ或いは複数のインタフェース技術である。
【００２７】
上記解決手段において、前記マルチモード基地局の第一通信モードと第二通信モードとの共通カバレッジのカバレッジ指示情報は、
マルチモード基地局の複数のキャリア周波数及び／又は複数のインタフェース技術のセル或いはアクセスポイントの情報であり、その中に基地局識別子、及び／又は地理位置識別子情報、及び／又はカバレッジ情報を含み、
或いは、共通基地局サイト或いは共通カバレッジのセル／アクセスポイントの識別子或いは識別子範囲によって指示され、
或いは、セル／アクセスポイントの能力情報によって指示され、
或いは、二つ或いは複数の共通基地局サイト或いは共通カバレッジかつ同じ通信事業者のキャリア周波数及び／又はインタフェース技術である。
【００２８】
上記解決手段において、前記操作モジュールは、具体的には前記オフセット値を用いて、および測定した受信信号のパワーと組み合わせ、マルチモード基地局の第二通信モードに基づいて前記マルチモード基地局と通信するか否かを判断するために用いられる。
【００２９】
上記解決手段において、前記操作モジュールは、具体的には前記マルチモード基地局の第一通信モードの信号測定結果に基づいて、前記第二通信モードの信号を測定し、第二通信モードに基づいて通信できるか否かを判断し、
或いは、前記マルチモード端末はサービス基地局に測定結果を報告し、前記サービス基地局は前記測定結果に基づいて、前記マルチモード端末に第二通信モードの信号測定を設定し、及び／又はサービス基地局が前記マルチモード端末を第二通信モードに切替／リダイレクトし、及び／又はネットワーク側が第一と第二通信モードを用いて前記マルチモード端末とジョイント送信を行い、
或いは、前記マルチモード端末が前記サービス基地局に情報を送信し、サービス基地局は前記情報に基づいて前記マルチモード端末に第二通信モードへの測定を設定し、及び／又はサービス基地局は前記情報に基づいて前記マルチモード端末が発見したマルチモード基地局に情報を送信するか否かを判断し、前記マルチモード端末がサービス基地局に送信した情報は、第二通信モードのサービス範囲に近づく指示情報、第一通信モードの信号への測定結果、推定された第二通信モードの信号の測定結果のうちの少なくとも一つを含み、
或いは、前記マルチモード端末が自動的に第二通信モードを選択し使用して通信し、
或いは、前記マルチモード端末が前記マルチモード基地局の第二通信モードがサービスできるのを提示し、ユーザの手動選択結果に基づいて第二通信モードで通信するために用いられる。
【００３０】
上記解決手段において、前記操作モジュールは、具体的にはサービス基地局から送信したマルチモード基地局の第一通信モードと第二通信モードとの共通カバレッジのカバレッジ指示情報を受信する前に、前記サービス基地局が事前設定、或いはネットワーク管理システム、或いは基地局間のインタフェースによって、隣接した基地局がマルチモード基地局である情報を取得し、或いは隣接した複数のセルの共通基地局サイト或いは共通カバレッジの情報を取得するために用いられる。
【００３１】
上記解決手段において、前記カバレッジ指示情報はカバレッジ・レシオを含む。
【００３２】
上記解決手段において、前記操作モジュールは、具体的には前記カバレッジ・レシオに基づいて後続の判断を補助するために用いられ、
前記判断の方法は、
カバレッジ・レシオに基づいて、第二通信モードの信号へのスキャン／測定を起動するか否かを判断すること、
カバレッジ・レシオに基づいて、第二通信モードの信号へのスキャン／測定の周期／頻度を確定し、及び／又は第二通信モードサービス領域を発見するための持続判断時間を確定すること、
ユーザが特定インタフェース技術或いはモードの通信モジュールを起動するか否かを決定するために、カバレッジ・レシオをユーザに提供することのうちの少なくとも一つを含む。
【００３３】
上記解決手段において、前記カバレッジ指示情報はセル或いはセルセット情報、或いは、キャリア周波数情報、或いは、特定インタフェース技術／モードの帯域情報、キャリア周波数情報、セル情報、サービスセット情報、ネットワークオペレーター情報を含む。
【００３４】
上記解決手段において、前記第二通信モードに関するカバレッジ指示情報はさらに、測定評価パラメータ情報、負荷情報、能力情報、省エネルギー状態情報のうちの少なくとも一つを含む。
【００３５】
上記解決手段において、前記処理モジュールは、具体的には前記カバレッジ指示情報がサービスセルとデフォルト関連されると、マルチモード端末が第二通信モードのサービス領域を発見し、
或いは、前記カバレッジ指示情報におけるセル或いはセルセットにおけるセルを発見すると、第二通信モードのサービス領域を発見し、
或いは、前記カバレッジ指示情報における指示されたキャリア周波数を発見すると、第二通信モードのサービス領域を発見し、
或いは、測定評価パラメータ情報に基づいて、第二通信モードのサービス領域を発見するか否かを判断するために用いられる。
【００３６】
前記処理モジュールは、具体的には特定インタフェース技術／モード帯域情報、キャリア周波数情報、セル情報、サービスセット情報、ネットワークオペレーター情報、負荷情報、能力情報、省エネルギー状態情報に基づいて、第二通信モードに基づいて通信することができるか否かを判断するために用いられる。
【００３７】
上記解決手段において、前記第二通信モードはＷＩＦＩ、ＩＭＴ−２０２０通信インタフェース技術、高帯域通信キャリア周波数／インタフェース技術、ＦＤＤ通信モード、ＴＤＤ通信モードのうちの少なくとも一つを含む。
【００３８】
本発明はさらに基地局を提供し、前記基地局は送信モジュールを含み、第二通信モードに関するカバレッジ指示情報を送信するために用いられる。
【００３９】
上記解決手段において、前記送信モジュールは、具体的にはマルチモード基地局の第一通信モードと第二通信モードとの共通カバレッジのカバレッジ指示情報を送信し、或いは、第二通信モードのカバレッジ・レシオを送信するために用いられる。
【００４０】
本発明はさらにマルチモード端末を補助して通信の機会を発見するシステムを提供し、前記システムはマルチモード端末及びサービス基地局を含み、
前記マルチモード端末は上記解決手段における前記マルチモード端末であり、
前記サービス基地局は上記解決手段における前記基地局である。
【００４１】
本発明の実施例が提供するマルチモード端末を補助して通信の機会を発見する方法、システム及び装置は、マルチモード端末がサービス基地局から送信したカバレッジ指示情報を受信させることができ、前記マルチモード端末が前記カバレッジ指示情報に基づいて、通信の機会を発見する。このように、従来に技術におけるマルチ周波数或いはマルチインタフェース技術の測定によって後続の通信操作を完成できるという問題を回避し、直接カバレッジ指示情報に基づいて後続の操作を確定し、それにより消費電力を低減させる。また、端末が優先度のより高く或いは料金のより低い通信の機会の発見をより効果的に補助することができ、それにより消費電力をさらに低減させる。
【図面の簡単な説明】
【００４２】
【図１】図１は本発明の実施例に係るマルチモード端末を補助して通信の機会を発見する方法のフローチャート概略図一である。
【図２】図２は本発明の実施例に係るマルチモード端末を補助して通信の機会を発見する方法のフローチャート概略図二である。
【図３】図３は本発明の実施例に係るマルチモード端末を補助して通信の機会を発見する方法のフローチャート概略図三である。
【図４】図４は本発明の実施例に係るマルチモード端末を補助して通信の機会を発見するシステムの構成構造の概略図である。
【図５】図５は実施例一及び実施例二におけるマルチモード基地局存在のヘテロジニアスネットワークの概略図である。
【図６】図６は実施例一及び実施例二におけるマルチモード小型基地局の二種の通信モードのカバレッジ概略図である。
【図７】図７は本発明の実施例一におけるＵＥがマルチモード基地局の第二通信モードとの通信の機会を発見するフローチャート図である。
【図８】図８は実施例三におけるシステム構成構造の概略図一である。
【図９】図９は実施例三におけるシステム構成構造の概略図二である。
【図１０】図１０は実施例三におけるシステム構成構造の概略図三である。
【図１１】図１１は実施例三におけるシステム構成構造の概略図四である。
【図１２】図１２は実施例三におけるシステム構成構造の概略図五である。
【図１３】図１３は実施例三におけるシステム構成構造の概略図六である。
【発明を実施するための形態】
【００４３】
本発明の実施例の基本的な思想は、マルチモード端末がネットワーク側から送信した第二通信モードに関するカバレッジ指示情報を受信し、前記マルチモード端末が前記カバレッジ指示情報に基づいて、第二通信モードに関する通信の機会を発見することである。
【００４４】
以下は図面及び具体的な実施例に合わせて本発明についてさらに詳細な説明を行う。
【００４５】
本発明の実施例が提供するマルチモード端末を補助して通信の機会を発見する方法は、図に示されたように、以下のステップを含む。
【００４６】
ステップ１０１において、マルチモード端末はネットワーク側から送信した第二通信モードに関するカバレッジ指示情報を受信する。
【００４７】
ここで、前記カバレッジ指示情報は、マルチモード基地局の第一通信モードと第二通信モードとの共通カバレッジの情報を指示し、或いは、料金の低い通信インタフェース技術のカバレッジ情報を指示するために用いられる。
【００４８】
前記ネットワーク側はサービス基地局であることができる。
【００４９】
ステップ１０２において、前記マルチモード端末は前記カバレッジ指示情報に基づいて、第二通信モードに基づく通信の機会を発見する。
【００５０】
ここで、前記第二通信モードに基づく通信の機会を発見することは、対応する基地局或いはアクセスポイントと通信するか否かを判断する可能性がある。
【００５１】
前記カバレッジ指示情報はマルチモード基地局の第一通信モードと第二通信モードとの共通カバレッジの情報を指示するために用いられたときに、本発明の実施例が提供するマルチモード端末を補助して通信の機会を発見する方法は、図２に示されたように、以下のステップを含む。
【００５２】
ステップ２０１において、マルチモード端末はマルチモード基地局の第一通信モードを測定する。
【００５３】
ここで、前記第一通信モードは前記マルチモード端末が現在動作しているキャリア周波数或いはインタフェース技術である。前記信号は同期信号、発見信号、基準信号、ビーコンを含むが、これらに限定されない。
【００５４】
ステップ２０２において、前記マルチモード端末は前記マルチモード基地局の第一通信モードと第二通信モードとの共通カバレッジのカバレッジ指示情報を受信する。
【００５５】
ここで、前記カバレッジ指示情報は前記マルチモード端末の第一通信モードと第二通信モードのセルの情報、或いはアクセスポイントの情報によって間接的に指示し、前記セル或いはアクセスポイントの情報は基地局の識別子、地理位置情報、カバレッジ情報のうちの少なくとも一つを含む。
【００５６】
好ましく、マルチモード基地局の第一通信モードと第二通信モードとの共通基地局サイト（ｃｏ−ｓｉｔｅｄ）或いは共通カバレッジは共通基地局サイト或いは共通カバレッジのセル／アクセスポイントの識別子範囲によって指示する。
【００５７】
好ましく、マルチモード端末基地局の第一通信モードと第二通信モードとの共通基地局サイト或いは共通カバレッジはセル／アクセスポイントの能力情報によって指示する。
【００５８】
好ましく、第二通信モードの通信優先度は第一通信モードより高い。
【００５９】
前記マルチモード端末はサービス基地局から送信したマルチモード基地局の第一通信モードと第二通信モードとの共通カバレッジのカバレッジ指示情報を受信する前に、該方法はさらに、前記サービス基地局は事前設定、或いはネットワーク管理システム、或いは基地局間のインタフェースによって、隣接した基地局がマルチモード基地局である情報を取得し、或いは隣接した複数のセルの共通基地局サイト或いは共通カバレッジの情報を取得
することを含む。
【００６０】
ステップ２０３において、前記マルチモード端末は前記指示情報に基づいて、前記マルチモード基地局と通信するか否かを判断する。
【００６１】
具体的には、マルチモード端末は信号受信電力のオフセット値を指示するための情報を受信し、前記マルチモード端末が前記オフセット値を用いて、測定した受信信号のパワーと組み合わせ、マルチモード基地局の第二通信モードと通信するのを準備するか否かを判断し、
或いは、マルチモード端末はマルチモード基地局の第一通信モードへの測定結果に基づいて第二通信モードを選択し、前記第二通信モードを測定し、及び／又はインタフェース技術、及び／又はキャリア周波数、及び／又はセル再選択を行い、及び／又は切替或いはリダイレクトを行い、及び／又は接続を確立し、
或いは、マルチモード端末はサービス基地局に測定結果を報告し、前記サービス基地局は前記測定結果に基づいて、前記マルチモード端末に第二通信モードの信号測定を設定し、及び／又はサービス基地局が前記マルチモード端末を第二通信モードに切替／リダイレクトし、及び／又はネットワーク側が第一と第二通信モードを用いて前記マルチモード端末とジョイント送信を行い、
或いは、前記マルチモード端末が前記サービス基地局に情報を送信し、サービス基地局は前記情報に基づいて前記マルチモード端末に第二通信モードへの測定を設定し、及び／又はサービス基地局は前記情報に基づいて前記マルチモード端末が発見したマルチモード基地局に情報を送信するか否かを判断し、前記マルチモード端末がサービス基地局に送信した情報は、第二通信モードのサービス範囲に近づく指示情報、第一通信モードの信号への測定結果、推定された第二通信モードのセルの測定結果のうちの少なくとも一つを含み、
或いは、前記マルチモード端末は自動的に第二通信モードを選択し使用して通信し、
或いは、前記マルチモード端末は前記マルチモード基地局の第二通信モードがサービスできるのを提示し、ユーザの手動選択結果に基づいて第二通信モードで通信する。
【００６２】
好ましく、ステップ２０３を完成した後に、前記マルチモード基地局の第二通信モードは省エネルギー状態にあると、前記マルチモード端末はマルチモード基地局の第二通信モードと通信するのを準備した後に、前記マルチモード端末は前記マルチモード基地局の第二通信モードを自動的に作動させ、或いは、前記マルチモード端末は現在のサービス基地局によってマルチモード基地局の第二通信モードを作動させる。
【００６３】
好ましく、マルチモード端末はマルチモード基地局の第二通信モードと通信するのを準備する前に、さらに、前記マルチモード端末は第一通信モードの測定結果と第二通信モードの測定結果を比較し、現在のサービス基地局或いはネットワーク側に比較結果を報告し、共通基地局サイト指示情報及び／或いはオフセット値の自動更新を実現するのを含むことができる。
【００６４】
前記カバレッジ指示情報は料金の低い通信インタフェース技術のカバレッジ情報を指示したときに、本発明の実施例が提供するマルチモード端末を補助して通信の機会を発見する方法は、図３に示されたように、以下を含む。
【００６５】
ステップ３０１において、マルチモード端末はサービス基地局から送信した第二通信モードのカバレッジ指示情報を受信する。
【００６６】
ここで、前記第二通信モードは料金の低い通信インタフェース技術であることができる。
【００６７】
ステップ３０２において、前記マルチモード端末は前記カバレッジ指示情報に基づいて、マルチモード基地局或いはアクセスポイントの前記第二通信モードのサービス領域に接続するか否かを判断する。
【００６８】
ここで、前記カバレッジ指示情報はカバレッジ・レシオを含む。
【００６９】
前記カバレッジ・レシオはマルチモード端末或いはユーザの後続の判断を補助するために用いられる。
【００７０】
前記判断の方法は、
マルチモード端末がカバレッジ・レシオに基づいて、第二通信モードの信号へのスキャン／測定を起動するか否かを判断すること、
マルチモード端末がカバレッジ・レシオに基づいて、第二通信モードの信号へのスキャン／測定の周期／頻度を確定し、及び／又は第二通信モードサービス領域を発見するための持続判断時間を確定すること、
ユーザが特定インタフェース技術或いはモードの通信モジュールを起動するか否かを決定するために、マルチモード端末がカバレッジ・レシオをユーザに提供することのうちの少なくとも一つを含む。
【００７１】
好ましく、前記カバレッジ指示情報はさらにセル或いはセルセット情報、或いは、キャリア周波数情報、或いは、評価パラメータ情報、或いは特定インタフェース技術／モードの帯域情報、キャリア周波数情報、セル情報、サービスセット情報、ネットワークオペレーター情報、負荷情報、能力情報、省エネルギー状態情報を含むことができる。
【００７２】
好ましく、前記マルチモード端末が前記カバレッジ指示情報に基づいて、前記料金の低い通信インタフェース技術のサービス領域を発見することは、前記カバレッジ指示情報がマルチモード端末のサービスセルとデフォルト関連されると、マルチモード端末が第二通信モードのサービス領域を発見すること、
或いは、前記マルチモード端末が前記カバレッジ指示情報におけるセル或いはセルセットにおけるセルを発見すると、マルチモード端末が第二通信モードのサービス領域を発見すること、
或いは、前記マルチモード端末が前記カバレッジ指示情報における指示されたキャリア周波数を発見すると、マルチモード端末が第二通信モードのサービス領域を発見すること、
或いは、マルチモード端末が測定評価パラメータ情報に基づいて、第二通信モードのサービス領域を発見するか否かを判断すること、を含む。
【００７３】
マルチモード端末は特定インタフェース技術／モードの帯域情報、キャリア周波数情報、セル情報、サービスセット情報、ネットワークオペレーター情報、負荷情報、能力情報、省エネルギー状態情報に基づいて、第二通信モードに基づいて通信することができるか否かを判断する。
【００７４】
好ましく、前記第二通信モードはＷＩＦＩ、ＩＭＴ−２０２０通信インタフェース技術、ＦＤＤ通信モード、ＴＤＤ通信モードのうちの少なくとも一つを含む。
【００７５】
こうしてみれば、料金が高くカバレッジ領域が比較的広いインタフェース技術（例えば３Ｇ或いはＬＴＥ）によって、料金が低くカバレッジ領域が比較的狭いインタフェース技術（例えばＷＩＦＩ、ＩＭＴ−２０２０）を間接的に発見し、ユーザがＷＩＦＩ或いはＩＭＴ−２０２０インタフェース技術カバレッジ領域でより多くのトラフィックフローを発
生するのを促進し、同時にユーザスループットを高め、ネットワークの負荷バランスとリソース利用の最適化を実現することができる。
【００７６】
図４に示されたように、本発明の実施例はマルチモード端末を補助して通信の機会を発見するシステムを提供し、前記システムはマルチモード端末４１及び基地局４２を含む。
【００７７】
前記マルチモード端末４１は、ネットワーク側から送信した第二通信モードに関するカバレッジ指示情報を受信するように構成され、
前記基地局４２は、マルチモード端末４１に第二通信モードに関するカバレッジ指示情報を送信するように構成される。
【００７８】
前記マルチモード端末４１は送受信モジュール４１１と操作モジュール４１２を含み、
送受信モジュール４１１は、受信した第二通信モードに関するカバレッジ指示情報を操作モジュールに送信するように構成され、
操作モジュール４１２は、送受信モジュールから送信した前記カバレッジ指示情報に基づいて、第二通信モードに基づく通信の機会を発見するように構成される。
【００７９】
前記送受信モジュール４１１は、サービス基地局から送信したマルチモード基地局の第一通信モードと第二通信モードとの共通カバレッジのカバレッジ指示情報を受信するように構成される。
【００８０】
前記操作モジュール４１２は、マルチモード基地局の第一通信モードの信号を測定するように構成される。
【００８１】
前記第一通信モードは、前記マルチモード端末の第一キャリア周波数或いは第一インタフェース技術の信号であり、前記第一インタフェース技術の信号は同期信号、発見信号、基準信号、ビーコンを含むが、これらに限定されない。
【００８２】
前記マルチモード端末４１はさらに、測定モジュール４１３を含み、マルチモード端末がマルチモード基地局の第一通信モードを測定するように構成され、相応的に、前記操作モジュール４１２は、測定モジュールが取得した第一通信モードの測定結果を受信するように構成される。
【００８３】
前記カバレッジ指示情報は、マルチモード基地局の複数のキャリア周波数及び／又は複数のインタフェース技術のセル或いはアクセスポイントの情報であり、その中に基地局識別子及び／又は地理位置（識別子）情報及び／又はカバレッジ情報を含み、
或いは、共通基地局サイト或いは共通カバレッジのセル／アクセスポイントの識別子或いは識別子範囲によって指示され、
或いは、本基地局／本セル／本アクセスポイントの信号受信電力のオフセット値を指示し、
或いは、二つ或いは複数の共通基地局サイト或いは共通カバレッジかつ同じ通信事業者のキャリア周波数及び／又はインタフェース技術である。
【００８４】
前記第二通信モードの通信優先度は第一通信モードより高い。
【００８５】
前記操作モジュール４１２は、前記マルチモード基地局の第一通信モードの信号測定結果に基づいて、前記第二通信モードの信号を測定し、第二通信モードに基づいて通信できるか否かを判断し、
或いは、サービス基地局に測定結果を報告し、前記サービス基地局は前記測定結果に基づいて、前記マルチモード端末に第二通信モードの信号測定を設定し、及び／又はサービ
ス基地局が前記マルチモード端末を第二通信モードに切替／リダイレクトし、及び／又はネットワーク側が第一と第二通信モードを用いて前記マルチモード端末とジョイント送信を行い、
或いは、前記サービス基地局に情報を送信し、サービス基地局は前記情報に基づいて第二通信モードへの測定を設定し、及び／又はサービス基地局は前記情報に基づいて発見したマルチモード基地局に情報を送信するか否かを判断し、サービス基地局に送信した情報は、第二通信モードのサービス範囲に近づく指示情報、第一通信モードの信号への測定結果、推定された第二通信モードの信号の測定結果のうちの少なくとも一つを含み、
或いは、自動的に第二通信モードを選択し使用して通信し、
或いは、ユーザに前記マルチモード基地局の第二通信モードがサービスできるのを提示し、ユーザの手動選択結果に基づいて第二通信モードで通信するように構成される。
【００８６】
前記操作モジュール４１２は、サービス基地局から送信したマルチモード基地局の第一通信モードと第二通信モードとの共通カバレッジのカバレッジ指示情報を受信する前に、前記サービス基地局は事前設定、或いはネットワーク管理システム、或いは基地局間のインタフェースによって、隣接した基地局がマルチモード基地局である情報を取得し、或いは隣接した複数のセルの共通基地局サイト或いは共通カバレッジの情報を取得するように構成される。
【００８７】
前記操作モジュール４１２は、第一通信モードの測定結果と第二通信モードの測定結果を比較し、比較結果を報告するように構成される。
【００８８】
前記操作モジュール４１２は、第二通信モードは省エネルギー状態情報にあると、前記マルチモード基地局の第二通信モードを作動させ、或いは、現在のサービス基地局によってマルチモード基地局の第二通信モードを作動させるように構成される。
【００８９】
前記操作モジュール４１２は、マルチモード基地局の第一通信モードのセルへの測定結果に基づいて、前記マルチモード基地局の第二通信モードのセルへの測定結果を推定し、前記測定結果を前記マルチモード基地局の第二通信モードの実際測定の結果に合わせるように構成される。
【００９０】
推定された測定結果と実際測定の結果との比較に基づいて、両者の差がオフセット値より大きいときに、ネットワーク側に報告を送信し、前記報告は、両者の差、或いは提案されたオフセット値、或いはオフセット値への調整因子、或いは異常報告のみを含む。
【００９１】
上記送受信モジュールはアンテナ及びＤＳＰなどのハードウェア設定で実現することができ、操作モジュール及び測定モジュールはいずれもＤＳＰなどのハードウェアで実現することができる。
【００９２】
前記基地局４２は、送信モジュール４２１を含み、第二通信モードに関するカバレッジ指示情報を送信するように構成される。
【００９３】
前記送信モジュール４２１は、料金の低い通信モードのカバレッジ指示情報を受信するように構成され、処理モジュールは、送受信モジュールが受信した前記カバレッジ指示情報に基づいて、前記料金の低い通信インタフェース技術のサービス領域を発見するために用いられる。
【００９４】
好ましく、前記カバレッジ指示情報は、カバレッジ・レシオ、或いは、セル或いはセルセット情報、或いは、キャリア周波数情報、或いは、測定評価パラメータ情報、或いは、特定インタフェース技術／モードの帯域情報、キャリア周波数情報、セル情報、サービス
セット情報、ネットワークオペレーター情報、負荷情報、能力情報、省エネルギー状態情報を含む。
【００９５】
前記操作モジュールは、前記カバレッジ・レシオに基づいて後続判断を補助するように構成される。
【００９６】
前記判断の方法は、
カバレッジ・レシオに基づいて、第二通信モードの信号へのスキャン／測定を起動するか否かを判断すること、
カバレッジ・レシオに基づいて、第二通信モードの信号へのスキャン／測定の周期／頻度を確定し、及び／又は第二通信モードサービス領域を発見するための持続判断時間を確定すること、
ユーザが特定インタフェース技術或いはモードの通信モジュールを起動するか否かを決定するために、カバレッジ・レシオをユーザに提供することのうちの少なくとも一つを含む。
【００９７】
好ましく、前記処理モジュールは、具体的には前記カバレッジ指示情報をマルチモード端末のサービスセルと関連されると、マルチモード端末は料金の低い通信インタフェース技術のサービス領域を発見し、
或いは、前記カバレッジ指示情報におけるセル或いはセルセットにおけるセルを発見されると、マルチモード端末は料金の低い通信インタフェース技術のサービス領域を発見し、
或いは、前記カバレッジ指示情報における指示されたキャリア周波数を発見されると、マルチモード端末は料金の低い通信インタフェース技術のサービス領域を発見し、
或いは、測定評価パラメータ情報に基づいて、料金の低い通信インタフェース技術のサービス領域を発見されるか否かを判断し、
或いは、特定インタフェース技術／モードの帯域情報、キャリア周波数情報、セル情報、サービスセット情報、ネットワークオペレーター情報、負荷情報、能力情報、省エネルギー状態情報に基づいて、該通信モード／モードに接続する可能性があるか否かを判断するために用いられる。
【００９８】
好ましく、前記料金の低い通信インタフェース技術は、ＷＩＦＩ、ＩＭＴ−２０２０通信インタフェース技術、高帯域通信キャリア周波数／インタフェース技術、ＦＤＤ通信モード、ＴＤＤ通信モードのうちの少なくとも一つを含む。
【００９９】
前記基地局は、送受信モジュールを含み、料金の低い通信インタフェース技術のカバレッジ指示情報を送信するために用いられる。
【０１００】
実施の形態一
図５と図６に示されたように、マルチモード小型基地局はＬＴＥ（ＦＤＤ−ＬＴＥ及び／又はＴＤＤ−ＬＴＥ）とＷＬＡＮという二種類のインタフェース技術（さらに第二世代、第三世代、及び／又は第五世代無線通信技術のインタフェース技術を支持する可能性がある）を支持する可能性がある。異なるインタフェース技術のカバレッジ範囲はそのインタフェース技術自身の特徴（例えばパイロット／同期信号／基準信号／プリアンブル、制御チャネルなどの信号とチャネルの特徴）の影響を受け、また各種インタフェース技術に用いたキャリア周波数／帯域（例えば８００Ｍｈｚ、１．８Ｇｈｚ、２．４ＧＨｚ、３．５Ｇｈｚ、５Ｇｈｚ、４５ＧＨｚなど）、周囲環境とセル伝送パワーの影響を受ける。
【０１０１】
一般的に言えば、パスロスはキャリア周波数の対数に比例し、キャリア周波数／帯域が高いほど、無線信号が同様空間を経た伝送パルによるパスロスが大きく、カバレッジが低
い或いは同様伝送パワー下のカバレッジ範囲が小さいのを意味する。同一帯域に属した二つのキャリア周波数或いは隣接した二つキャリア周波数は一般的に引き起こしたパスロスの差が比較的小さく、したがってそれらのカバレッジ範囲はほぼ同じである（二つのキャリア周波数の伝送パワーが同じである時）。
【０１０２】
マルチモード小型基地局は物理サイズの制限を受け、一般的に異なったキャリア周波数／異なったインタフェース技術のアンテナが共用であり、或いは異なったキャリア周波数／異なったインタフェース技術のアンテナのピッチが非常に小さく、同様に、マルチモード端末もそうである。このように、マルチモード小型基地局はマルチモード端末の第一通信モード（例えばＬＴＥ  ２．３ＧＨｚ）と第二通信モード（例えばＷＬＡＮ  ２．４Ｇｈｚ、或いは第二世代、第三世代、第五世代無線通信インタフェース技術）と伝送距離においてほぼ同じであり、伝送環境（例えば屋内環境）も基本的に同じであり、このとき二種類の通信モードのカバレッジは主に、キャリア周波数、伝送パワー、アンテナゲイン（基地局箇所のアンテナゲインと端末箇所のアンテナゲイン）とそれぞれの信号／チャネル特徴の影響を受ける。
【０１０３】
所定の二種類の通信モードのキャリア周波数、伝送パワー、アンテナゲイン、信号／チャネル特徴に対して、共通アンテナ、或いは準共通基地局サイト、準共通アンテナ、或いは切替可能、等価可能な共通基地局サイト（共通基地局サイト或いは準共通基地局サイトは共通カバレッジ或いは準共通カバレッジの一つの場合に見られる）を測定／発見する。
【０１０４】
伝送ノード（マルチモード小型基地局）と共通基地局サイト受信ノード（マルチモード端末）が用いた二種類の通信モードのカバレッジ範囲は類似性（例えばマルチモード小型基地局は円心の同じ半径或いは異なった半径の円である）を有する。これは、一種の通信モードのカバレッジによって他種の通信モードのカバレッジを推定する可能性があるのを意味する。
【０１０５】
例えば、端末はマルチモード小型基地局のＬＴＥ  ２．３ＧＨｚのカバレッジ範囲に進むときに、端末がマルチモード小型基地局のＷＬＡＮ  ２．４ＧＨｚ（及び／又は他の通信インタフェース技術及び／又は通信キャリア周波数）に進むカバレッジ範囲を近似的に推定することができる。このように、ＷＬＡＮスキャン／測定（及び／又は他の通信インタフェース技術及び／又は通信キャリア周波数）を回避し或いは最小化した前提で、マルチモード端末とマルチモード小型基地局との間がＷＬＡＮ  ２．３ＧＨｚ（及び／又は他の通信インタフェース技術／通信キャリア周波数）で通信する機会を発見する。
【０１０６】
これは、比較的測定／発見しやすく、或いは測定／発見のコストが比較的低い通信モード（例えばカバレッジ範囲が比較的大きな通信モード、或いは前記マルチモード端末の現在動作キャリア周波数と同一周波数の通信モード、或いは特定の発見信号、発見キャリア周波数）によって、比較的測定／発見しにくく、或いは測定／発見のコストが比較的高い通信モード（例えば前記マルチモード端末の現在動作キャリア周波数と異なった周波数／異なったインタフェース技術の通信モード、及び／又はカバレッジ範囲が比較的小さい通信モード）を発見することができ、優先度が比較的低い通信モードによって優先度が比較的高い通信モードを発見することができるのを意味し、例えば３Ｇ或いはＬＴＥによってＷＬＡＮ或いは第五世代無線通信技術を発見し、さらにある通信モードの測定によって多種の通信モードとの通信の機会を発見することができるのを意味する。
【０１０７】
具体的には、マルチモード端末はマルチモード基地局の第二通信モードとの通信の機会を発見するフローチャート図は、図７に示されたように、以下のステップを含む。
【０１０８】
ステップ７０１において、マルチモード端末はマルチモード基地局のキャリア周波数１
を測定する。
【０１０９】
ステップ７０２において、マルチモード端末はマルチモード基地局のキャリア周波数１とキャリア周波数２の共通基地局サイトの指示情報を受信する。
【０１１０】
上記ステップ７０１とステップ７０２の順序は交換することができる。
【０１１１】
ステップ７０３において、マルチモード端末はマルチモード基地局のキャリア周波数２との通信操作を準備する。
【０１１２】
好ましく、ステップ７０１における前記マルチモード端末は前記マルチモード基地局のカバレッジ範囲内にあるときに、かつＩｄｌｅ状態或いは接続状態にある前記マルチモード端末（例えばＬＴＥとＷＬＡＮ二重モード、ＴＤＤ−ＬＴＥ／ＦＤＤ−ＬＴＥとＷＬＡＮ三重モード、ＬＴＥ／ＷＬＡＮと５Ｇ三重モード）は、マルチモード基地局のキャリア周波数１のサービス領域内にあるときに、
前記マルチモード端末はマルチモード基地局のキャリア周波数１を測定することは、前記マルチモード端末は前記マルチモード基地局ＬＴＥのキャリア周波数１の信号を測定することを含み、前記信号は、セルの同期信号（例えばメイン同期信号ＰＳＳ、セカンダリ同期信号ＳＳＳ，プリアンブルｐｒｅａｍｂｌｅ）及び／又は発見信号（ＤＳ，Ｄｉｓｃｏｖｅｒｙ  Ｓｉｇｎａｌ）、及び／又は基準信号（例えばセルレベル基準信号ＣＲＳ、チャネル状態情報基準信号ＣＳＩ−ＲＳ、復調基準信号ＤＭＲＳ、測位基準信号ＰＲＳ）、及び／又はビーコン（例えばＷＬＡＮのｂｅａｃｏｎ）を含む。前記ＤＳはマルチモード基地局から送信することができ、前記マルチモード基地局はキャリア周波数１でデータ伝送サービスを提供しなく、キャリア周波数２／インタフェース技術２で通常のサービスを提供し、かつマルチモード基地局はキャリア周波数１でＤＳを送信したときにキャリア周波数２／インタフェース技術２は省エネルギー状態にあることができる。
【０１１３】
例えば、ＣＲＳを測定して基準信号受信パワーＲＳＲＰを得て、或いはＣＳＩ−ＲＳを測定してＣＳＩ−ＲＳＲＰを得て、或いはＷＬＡＮビーコンを測定してＲＳＳＩを得る。
【０１１４】
前記マルチモード端末はマルチモード基地局のキャリア周波数１とキャリア周波数２の共通基地局サイトの指示情報を受信するのは、前記マルチモード端末はサービスセルがＬＴＥキャリア周波数１に対応するセル（即ち本セル）によって送信したシステム情報（或いは共通チャネル）を受信することである可能性がある。
【０１１５】
前記システム情報は、共通チャネル指示共通基地局サイト或いは共通カバレッジのセル／アクセスポイントのキャリア周波数及び／又はインタフェース技術、例えば、Ｅ−ＵＴＲＡＮのキャリア周波数情報（Ｅ−ＵＴＲＡＮ絶対キャリア周波数番号ＥＡＲＦＣＮで表示する）、ＷＬＡＮと選択可能なキャリア周波数情報、第五世代無線通信技術と選択可能なキャリア周波数情報を含む。
【０１１６】
前記マルチモード端末はマルチモード基地局のキャリア周波数１とキャリア周波数２の共通基地局サイトの指示情報を受信するのは、間接的な情報指示であることができる。例えば、前記マルチモード端末はマルチモード基地局の複数のキャリア周波数及び／又は複数のインタフェース技術のセルの情報、或いは複数のキャリア周波数及び／又は複数のインタフェース技術のアクセスポイントの情報を取得する。
【０１１７】
前記情報は基地局識別子、及び／又は地理位置（識別子）情報、及び／又はカバレッジ情報を含むことができ、前記マルチモード端末がマルチモード基地局の複数のキャリア周波数及び／又は複数のインタフェース技術の共通基地局サイトの情報を取得することに相
当する。
【０１１８】
好ましく、前記マルチモード基地局が送信したシステム情報或いは共通チャネル（例えば放送チャネル、制御チャネル）はさらに複数のキャリア周波数及び／又は複数のインタフェース技術のセル或いはアクセスポイントに対応するネットワーク情報を指示することができ、例えばネットワークオペレーター識別子（ＰＬＭＮ−ＩＤ）、ＷＬＡＮのサービスセットＳＳ（サービスセットＳＳＩＤで表示する）である。
【０１１９】
好ましく、前記マルチモード基地局が送信したシステム情報或いは共通チャネルはさらに複数のキャリア周波数及び／又は複数のインタフェース技術のセル或いはアクセスポイントの識別子を指示することができ、例えばＥ−ＵＴＲＡＮセル１（物理セル識別子ＰＣＩ及び／又はセルグローバル識別子ＣＧＩで表示する）、ＷＬＡＮのベーシックサービスセットＢＳＳ（ベーシックサービスセットＳＳＩＤで表示する）、５Ｇセルの識別子である。
【０１２０】
好ましく、前記マルチモード基地局が送信した指示情報はさらに、他のインタフェース技術／キャリア周波数／セルのシステム情報などを含むことができ、前記マルチモード端末は他のインタフェース技術により迅速に接続し或いは他のインタフェース技術／他のキャリア周波数／他のセルに接続可能性があるか否かをより迅速に判断することができ、或いは、ネットワークの負荷を調整するために、システム接続優先度指示情報は前記マルチモード端末がネットワークに接続するのに選択される。
【０１２１】
好ましく、（本セルと）共通基地局サイト或いは共通カバレッジのセル／アクセスポイントのキャリア周波数及び／又はインタフェース技術を指示する以外に、セルのシステム情報はさらに、情報或いは共通チャネルを含み、（本セルと）共通基地局サイト或いは共通カバレッジ、かつ同じ通信事業者であり、セル／アクセスポイントのキャリア周波数及び／又はインタフェース技術を指示する。
【０１２２】
前記マルチモード端末はマルチモード基地局のキャリア周波数１とキャリア周波数２の共通基地局サイトの指示情報を受信するのは、前記マルチモード基地局のシステム情報の内容或いは共通チャネルによって、本基地局／本セル／本アクセスポイントの能力を指示し、例えば、本セルがキャリア周波数２／インタフェース技術２の通信能力を指示し、或いは本基地局／本セル／本アクセスポイントの信号受信電力のオフセット値（例えば−３ｄＢ）を指示することである。好ましく、前記信号受信電力のオフセット値を指示しない場合もあり、例えば、現在キャリア周波数と共通基地局サイトのキャリア周波数／インタフェース技術との間のカバレッジ差が大きくない場合で、或いは端末が後に共通基地局サイトのキャリア周波数／インタフェース技術をさらにスキャン／測定し続ける場合で、このように、前記マルチモード端末は測定した受信信号のパワーに基づいてマルチモード基地局のキャリア周波数２との通信操作を準備するか否かを判断する。
【０１２３】
前記マルチモード端末はマルチモード基地局のキャリア周波数２との通信操作を準備するのは、前記マルチモード端末は受信した前記信号受信電力のオフセット値を用いて、自身測定した受信信号のパワーと算出して算出結果を得て、前記算出結果をプリセットの閾値と比べて、前記閾値より高いと、マルチモード基地局のキャリア周波数２との通信操作を準備するか否かを判断し、このように、現在のキャリア周波数と共通基地局サイトのキャリア周波数／インタフェース技術との間のカバレッジの差（カバレッジ差は異なったキャリア周波数のパスロスで引き起こし、また異なったキャリア周波数／インタフェース技術に対応する異なったアンテナのゲインが異なったなどの原因で引き起こす可能性がある）を補う。
【０１２４】
好ましく、前記マルチモード端末はマルチモード基地局のキャリア周波数２との通信操作を準備するのはさらに以下の操作を含み、前記マルチモード端末において、自身の通信モジュールは対応するアプリケーションソフトウェアにキャリア周波数２／インタフェース技術２（サービス可能）を指示し、相応的に、前記アプリケーションソフトウェアはユーザインタフェースによってユーザにキャリア周波数２／インタフェース技術２（サービス可能）を指示し、前記アプリケーションソフトウェアは自動的或いは人工手動選択によってキャリア周波数２／インタフェース技術２を選択し使用する。例えば、前記マルチモード端末はユーザにＷＬＡＮ（サービス可能）を指示し、するとユーザは手動でＷＬＡＮモジュールをオンしＷＬＡＮ通信を行い、それにより通信コストを低減させ、速度を高め、より優れたユーザエクスペリエンスを得る。
【０１２５】
好ましく、前記マルチモード端末はマルチモード基地局のキャリア周波数２との通信操作を準備するのはさらに以下の操作を含み、キャリア周波数２及び／又はインタフェース技術２のセル或いは接続ポイントをより正確的に発見するために、前記マルチモード端末はキャリア周波数２／インタフェース技術２を用いて測定し或いはスキャンする。例えば、前記マルチモード端末はシステム情報が指示された共通基地局サイト或いは共通カバレッジのキャリア周波数／インタフェース技術に基づいて、Ｅ−ＵＴＲＡＮのＦ２セルを発見しかつ識別し、及び／又はＷＬＡＮのＦ３のアクセスポイントを発見し及び識別し、及び／又は５ＧのＦ４の基地局／セルを発見し及び識別するために、該キャリア周波数／インタフェース技術を測定し或いはスキャンする。
【０１２６】
好ましく、前記マルチモード端末はキャリア周波数２を測定し或いはスキャンしたときに、測定或いはスキャンの過程を加速するために、キャリア周波数１のセルの同期タイミングに基づいてキャリア周波数２及び／又はインタフェース技術２のセル或いはアクセスポイントへの測定或いはスキャンの初期同期タイミングとすることができる。
【０１２７】
好ましく、前記マルチモード端末はキャリア周波数２及び／又はインタフェース技術２を測定し或いはスキャンしたときに、測定速度を加速し、測定遅延を低減し或いはより正確的な測定値を得るために、キャリア周波数１のセルの測定結果に基づいてキャリア周波数２及び／又はインタフェース技術２のセルの測定結果を推定し、或いは、推定された測定結果と実際測定結果を組み合わせる（例えば加重平均係数）ことができる。
【０１２８】
好ましく、上記ステップ７０３を完成した後に、前記マルチモード端末は推定された測定結果と実際測定結果との比較に基づいて、或いはキャリア周波数１の測定結果とキャリア周波数２及び／又はインタフェース技術２の実際測定結果との比較に基づいて、両者の差がオフセット値より大きいときに、基地局或いはネットワーク側がオフセット値を調整し、共通基地局サイトの指示情報を更新するために、基地局或いはネットワーク側に（両者の差、或いは提案されたオフセット値、或いはオフセット値をさらに調整する因子ｄｅｌｔａ、或いは報告異常のみ）報告する。
【０１２９】
好ましく、前記マルチモード端末はＥ−ＵＴＲＡＮのＦ２のセル及び／又はＷＬＡＮのＦ３のアクセスポイントを発見した後に、さらに、前記マルチモード端末はサービスキャリア周波数を選択し或いは再選択することができる。サービス基地局が切替／リダイレクトの準備を行い、最終的にキャリア周波数２及び／又はインタフェース技術２によってデータ伝送を行う可能性があるために、例えば第二通信モードに切替／リダイレクトし、及び／又は第一と第二通信モードを用いて協調伝送（例えば協調マルチポイントＣｏＭＰ伝送）或いはジョイント送信（例えば二重チャネル或いは多重チャネル伝送）であり、前記マルチモード端末はサービス基地局にキャリア周波数２及び／又はインタフェース技術２の測定結果を報告する。
【０１３０】
実施の形態二
マルチモード端末はマルチモード小型基地局が共存したマクロ基地局のサービス領域に位置する場合で、前記マクロ基地局カバレッジ領域に接続状態或いはｉｄｌｅ状態マルチモード端末（例えばＬＴＥとＷＬＡＮ二重モード、ＴＤＤ−ＬＴＥ／ＦＤＤ−ＬＴＥとＷＬＡＮ三重モード、ＬＴＥ／ＷＬＡＮと５Ｇ三重モード）とマルチモード基地局が存在する。
【０１３１】
ステップ８０１において、前記マクロ基地局は事前設定、或いはネットワーク管理システム（ＯＡＭ）、或いは基地局間のインタフェース（例えば基地局間の直接的なＸ２インタフェース、或いはＸ２  ＧＷとの間の間接的なＸ２インタフェース、或いはＭＭＥとの間の間接的なＳ１インタフェース）によって、隣接した基地局がマルチモード基地局である情報、或いは隣接した複数のセル共通基地局サイト或いは共通カバレッジの情報を得る。
【０１３２】
ステップ８０２において、前記マルチモード端末はネットワーク側（例えばマクロ基地局がＬＴＥキャリア周波数１に対応するセル或いはサービスセル、或いは接続ネットワークトポロジー関係によって実体を提供する）から送信した指示情報（例えばシステム情報、共通チャネル情報、ＲＲＣ再設定情報、ＮＡＳ情報、ＯＭＡ−ＤＭプロトコル情報）を受信する。
【０１３３】
ここで、前記指示情報は２つ或いは複数の共通基地局サイト或いは共通カバレッジの（セル／アクセスポイントの）キャリア周波数及び／又はインタフェース技術を指示することができ、例えば、（共通基地局サイトの）Ｅ−ＵＴＲＡＮのキャリア周波数情報（Ｅ−ＵＴＲＡＮ絶対キャリア周波数番号ＥＡＲＦＣＮで表示する）、ＷＬＡＮと選択可能なキャリア周波数情報、第五世代無線通信技術と選択可能なキャリア周波数情報である。
【０１３４】
好ましく、前記マルチモード端末が得られたマルチモード基地局の複数のキャリア周波数及び／又は複数のインタフェース技術の共通基地局サイトの情報は間接的な指示であることもできる。例えば、前記マルチモード端末はマルチモード基地局の複数のキャリア周波数及び／又は複数のインタフェース技術のセルの情報、或いはアクセスポイントの情報を得る。
【０１３５】
ここで、前記指示情報は、基地局識別子及び／又は地理位置（識別子）情報及び／又はカバレッジ情報を含み、前記マルチモード端末に基づいて複数のキャリア周波数及び／又は複数の通信モードのセルの共通基地局サイト或いは共通カバレッジを判断する。
【０１３６】
前記指示はさらに、複数のキャリア周波数及び／又は複数のインタフェース技術に対応するネットワーク情報を指示することができ、例えば、ネットワークオペレーター識別子（ＰＬＭＮ−ＩＤ）、ＷＬＡＮのサービスセットＳＳ（サービスセット識別子ＳＳＩＤで表示する）である。
【０１３７】
前記指示はさらに、共通基地局サイト或いは共通カバレッジのセル／アクセスポイントの識別子範囲を指示し、例えばＥ−ＵＴＲＡＮセルグループ１（物理セル識別子範囲ＰＣＩ＿ｒａｎｇｅ及び／又はセルグローバル識別子範囲ＣＧＩ＿ｒａｎｇｅで表示する）、ＷＬＡＮベーシックサービスセットＢＳＳ（ベーシックサービスセット識別子範囲ＢＳＳＩＤ＿ｒａｎｇｅで表示する）、５Ｇセルグループ２などを含むことができる。
【０１３８】
前記指示はさらに、二つ或いは複数の共通基地局サイト或いは共通カバレッジの（セル／アクセスポイントの）キャリア周波数及び／又はインタフェース技術、二つ或いは複数の共通基地局サイト或いは共通カバレッジかつ同じ通信事業者の（セル／アクセスポイン
トの）キャリア周波数及び／又はインタフェース技術を指示する以外に、或いは、基地局セル／アクセスポイントの能力、例えばキャリア周波数１／インタフェース技術１のセル（或いはセルグループ）がキャリア周波数２／インタフェース技術２の通信能力を有するのを指示することを含む可能性がある。
【０１３９】
前記指示はさらに、システム情報或いはＲＲＣ再設定情報によって、さらに信号受信電力のオフセット値（例えば−３ｄＢ）を指示するのを含む可能性がある。
【０１４０】
ステップ８０３において、前記マルチモード端末は現在にＬＴＥキャリア周波数１に動作し、受信したマルチモード基地局ＬＴＥインタフェース技術のキャリア周波数１上の同期信号（例えばメイン同期信号ＰＳＳ、セカンダリ同期信号ＳＳＳ、プリアンブルｐｒｅａｍｂｌｅ）、及び／又はＤＳ、及び／又は基準信号（例えばセルレベル基準信号ＣＲＳ、チャネル状態情報基準信号ＣＳＩ−ＲＳ、復調基準信号ＤＭＲＳ、測位基準信号ＰＲＳ）、及び／又はビーコン（例えばＷＬＡＮのｂｅａｃｏｎ）を測定することにより、例えば、前記マルチモード端末は発見信号を測定して発見信号の受信パワーＤＳＲＰを得て、ＣＲＳを測定して基準信号の受信パワーＲＳＲＰを得て、或いはＣＳＩ−ＲＳを測定してＣＳＩ−ＲＳＲＰを得る。
【０１４１】
上記ステップ８０３とステップ８０４は前後の順序を区別しなく、同時に操作することができる。
【０１４２】
ステップ８０４において、前記マルチモード端末は該オフセット値と測定した受信信号のパワーで合わせてマルチモード基地局のキャリア周波数２との通信操作を準備するか否かを判断し、現在キャリア周波数と共通基地局サイトのキャリア周波数／インタフェース技術との間の差を補う。
【０１４３】
好ましく、前記オフセット値を指示しない場合もあり、例えば現在キャリア周波数と共通基地局サイトのキャリア周波数／インタフェース技術との間のカバレッジ差が大きくない場合で、或いは端末が後に共通基地局サイトのキャリア周波数／インタフェース技術をさらにスキャン／測定し続ける場合で、このように、前記マルチモード端末は測定した受信信号のパワーに基づいてマルチモード基地局のキャリア周波数２との通信操作を準備するか否かを判断する。
【０１４４】
好ましく、前記マルチモード端末はマルチモード基地局のキャリア周波数２との通信操作を準備するのは以下の操作を含むことができ、前記マルチモード端末通信モジュールはアプリケーションソフトウェアにキャリア周波数２／インタフェース技術２（サービス可能）を指示し、アプリケーションソフトウェアはさらにユーザインタフェースによってユーザにキャリア周波数２／インタフェース技術２（サービス可能）を指示することができ、アプリケーションソフトウェアは自動的或いは人工手動選択によってキャリア周波数２／インタフェース技術２を選択し使用する。例えば、前記マルチモード端末はユーザにＷＬＡＮ（サービス可能）を指示し、するとユーザは手動でＷＬＡＮモジュールをオンしＷＬＡＮ通信を行い、それにより通信コストを低減させ、速度を高め、より優れたユーザエクスペリエンスを得る。
【０１４５】
好ましく、前記マルチモード端末はマルチモード基地局のキャリア周波数２との通信操作を準備するのは以下の操作を含むことができ、キャリア周波数２及び／又はインタフェース技術２のセル或いは接続ポイントをより正確的に発見するために、前記マルチモード端末はキャリア周波数２／インタフェース技術２を用いて測定し或いはスキャンする。
【０１４６】
好ましく、キャリア周波数２及び／又はインタフェース技術２をさらに測定し或いはス
キャンする必要があるか否かことはマルチモード基地局で指示することができる。例えば、前記マルチモード端末はシステム情報或いはＲＲＣ再設定情報（例えばそれが含まれた測定設定情報）が支持された共通基地局サイト或いは共通カバレッジのキャリア周波数及び／又はインタフェース技術に基づいて、Ｅ−ＵＴＲＡＮのＦ２のセルを発見しかつ識別し、及び／又はＷＬＡＮのＦ３のアクセスポイントを発見し及び識別し、及び／又は５ＧのＦ４のセルを発見し及び識別するために、該キャリア周波数／インタフェース技術を測定し或いはスキャンする。
【０１４７】
好ましく、前記マルチモード端末はキャリア周波数２及び／又はインタフェース技術２で測定し或いはスキャンしたときに、測定或いはスキャンの過程を加速するために、キャリア周波数１のセルの同期タイミングに基づいてキャリア周波数２及び／又はインタフェース技術２のセル或いはアクセスポイントへの測定或いはスキャンの初期同期タイミングとすることができる。
【０１４８】
好ましく、前記マルチモード端末はキャリア周波数２及び／又はインタフェース技術２で測定し或いはスキャンしたときに、測定速度を加速し、測定遅延を低減し或いはより正確的な測定値を得るために、キャリア周波数１のセルの測定結果に基づいてキャリア周波数２及び／又はインタフェース技術２のセルの測定結果を推定し、或いは、推定された測定結果と実際測定結果を組み合わせる（例えば加重平均係数）ことができる。
【０１４９】
好ましく、前記マルチモード端末は推定された測定結果と実際測定結果との比較に基づいて、或いはキャリア周波数１の測定結果とキャリア周波数２及び／又はインタフェース技術２の実際測定結果との比較に基づいて、例えば両者の差がオフセット値より大きいときに、基地局或いはネットワーク側がオフセット値を調整し、共通基地局サイトの指示情報を更新するために、基地局或いはネットワーク側に（両者の差、或いは提案されたオフセット値、或いはオフセット値をさらに調整する因子ｄｅｌｔａ、或いは報告異常のみ）報告する。
【０１５０】
好ましく、前記マルチモード端末はマルチモード基地局がキャリア周波数１での信号特徴、及びキャリア周波数２での信号特徴を連携し、セル或いは基地局をより正確的に識別することができ、例えば、キャリア周波数２で複数のセルが同じ物理セル識別子を有するときに、それらの各自のマルチモード基地局のキャリア周波数１での信号の識別子（例えば同期或いは発見信号の索引或いは物理識別子）を利用して異なった基地局とセルを正確的に識別する。
【０１５１】
好ましく、前記マルチモード端末はＥ−ＵＴＲＡＮのＦ２のセル及び／又はＷＬＡＮのＦ３のアクセスポイントを発見した後に、前記マルチモード端末はサービスキャリア周波数を選択し或いは再選択することができる。サービス基地局が切替／リダイレクトの準備を行い、最終的にキャリア周波数２及び／又はインタフェース技術２によってデータ伝送を行う可能性があるために、前記マルチモード端末はサービス基地局にキャリア周波数２及び／又はインタフェース技術２の測定結果を報告することができる。
【０１５２】
好ましく、前記マルチモード端末はマルチモード基地局のキャリア周波数２との通信操作を準備するのはさらに以下の操作を含むことができ、サービス基地局はさらに前記マルチモード端末にキャリア周波数２及び／又はインタフェース技術２への測定を設定するために、前記マルチモード端末はサービス基地局にキャリア周波数２及び／又はインタフェース技術２に近い（可能）のサービス範囲（ｐｒｏｘｉｍｉｔｙ  ｉｎｄｉｃａｔｉｏｎ）を指示する。
【０１５３】
及び／又は、前記マルチモード端末はキャリア周波数１のセルへの測定結果を報告し、
マクロ基地局は該測定結果及びキャリア周波数１のセルとキャリア周波数２／インタフェース技術のセルの共通基地局サイト／共通カバレッジとの関係に基づいて、前記マルチモード端末がキャリア周波数２／インタフェース技術２のセルへの測定を要求するか否かを判断し、及び／又は直接前記マルチモード端末が発見した基地局に特定の情報を送信するか否かを判断する。前記判断は前記測定結果をプリセットの閾値一、及び閾値二に比べ、前記閾値一より高く、かつ閾値二より低いと、前記マルチモード端末はキャリア周波数２／インタフェース技術２を測定し、或いは、閾値二より低くないと、直接前記マルチモード端末が発見した基地局に特定の情報を送信する。
【０１５４】
前記特徴の情報は切替或いは作動情報であることができる。
【０１５５】
及び／又は、前記マルチモード端末は推定されたキャリア周波数２のセルの測定結果を報告し、かつ推定されたキャリア周波数２のセルの測定結果を選択可能に指示する。前記マルチモード端末が発見した隣接した基地局のキャリア周波数２／インタフェース技術２は省エネルギー状態（例えばシャットダウン、或いはｄｏｒｍａｎｔ  ｓｔａｔｅ、或いはＤＴＸ）にある場合、サービス基地局は前記マルチモード端末の指示を受信し或いは報告した後に、後続の測定及び／又は切替を行うために、マクロ基地局は省エネルギー基地局に情報を送信してキャリア周波数２／インタフェース技術２（作動情報は前記マルチモード端末がキャリア周波数１／インタフェース技術１への測定結果を携帯することができる）を作動させる。
【０１５６】
好ましく、以上の前記マルチモード端末はマルチモード基地局のキャリア周波数２との通信操作を準備するのはさらに組み合わせることができ、例えば、前記マルチモード端末はマルチモード基地局の状態指示を受信した後にどのような方式でマルチモード基地局のキャリア周波数２との通信操作を準備するのを判断する。
【０１５７】
ここで、前記マルチモード基地局の状態はサービス基地局或いはマルチモード基地局で明示的或いは暗示的に指示する。例えば、前記マルチモード端末は発見が用いたリソース及び／又は序列によってマルチモード基地局のキャリア周波数２／インタフェース技術２が省エネルギー状態（前記マルチモード端末は事前に省エネルギー状態にあるマルチモード基地局の発見信号が用いたリソース及び／又は序列の情報を取得する可能性がある）にあるか否かを区別し、そうであれば、前記マルチモード端末はまずサービス基地局によってマルチモード基地局のキャリア周波数２／インタフェース技術２を作動させ、そうでなければ、前記マルチモード端末は直接キャリア周波数２／インタフェース技術２を測定し及び報告する。さらに例えば、マルチモード基地局のキャリア周波数２／インタフェース技術２の負荷は前記マルチモード端末がマルチモード基地局のキャリア周波数２との通信操作を準備する具体的な方式を影響する可能性もあり、このような影響は前記マルチモード端末の政策決定（例えば負荷および受信信号のパワーＲＳＲＰによって受信信号の品質ＲＳＲＱを間接的に推定する）で体現することができ、また基地局政策決定で体現することができる。そのほか、前記マルチモード端末の状態は同様に具体的な準備方式を影響する可能性があり、例えば、前記マルチモード端末の状態は、サービス状態、移動状態、消費電力／電気量状態のうちの少なくとも一つを含む。
【０１５８】
実施の形態三
図８は小型基地局／小さいセルの密集配置の概略図であり、図４に示されたように、中心箇所の小型基地局はＬＴＥ  Ｆ１とＷＩＦＩ  Ｆ２を支持し、その周囲の小さいアクセスポイントはＷＩＦＩ  Ｆ２を支持する。中心箇所の小型基地局のＬＴＥ  Ｆ１セルのカバレッジはほぼ全てのＷＩＦＩ  Ｆ２を支持する小さいアクセスポイントのカバレッジのユニオンと等しい。したがって、ＬＴＥ  Ｆ１セルとＷＩＦＩ  Ｆ２のアクセスポイントグループが共通カバレッジ（共通基地局サイトでない場合もある）と見なされる。このシ
ーンも実施例１の方法を採用することができる。これらの小型基地局／小さいセルはマクロセルのカバレッジにあるときに、このシーンは実施例２の方法と類似することもでき、ここで詳細な説明を行わない。類似的に、以上の方法はさらに図９に示されたシーンに応用され、それは図４との差別はあるＷＩＦＩ  ＡＰが休止状態にある。
【０１５９】
図１０に示されたのは小型基地局／小さいセルの屋内配置の概略図であり、屋内外の接続箇所の小型基地局はＬＴＥ  Ｆ１とＷＩＦＩ  Ｆ２を支持し、その周囲の小さいアクセスポイントはＷＩＦＩ  Ｆ５とＷＩＦＩ  Ｆ６を支持し、これらのノードはより大きなマクロセル（図に示されない）でカバレッジすることができる。ユーザは屋外から屋内へ進むときに屋内外の接続箇所のＬＴＥ  Ｆ１とＷＩＦＩ  Ｆ２を支持する小型基地局を経る必要がある。
【０１６０】
図１１に示されたのはヘテロジニアスネットワーク配置の概略図であり、ＬＴＥ  Ｆ１のカバレッジ範囲下で複数の比較的小さいカバレッジを提供する小型基地局或いは小さいアクセスポイントを有し、一部はＷＩＦＩ  Ｆ２を支持し、一部はＩＭＴ−２０２０インタフェース技術のＦ４、ＷＩＦＩ  Ｆ５を支持し、図において全てのノードはより大きなマクロセルでカバレッジすることができる（図に示されない）。図から見れば、ＬＴＥ  Ｆ１のカバレッジ領域に５０％の領域にＷＩＦＩカバレッジ（４０％の領域にＷＩＦＩ  Ｆ２カバレッジを有し、１０％の領域にＷＩＦＩ  Ｆ４カバレッジを有する可能性がある）を有する可能性があり、ＬＴＥ  Ｆ１のカバレッジ領域に１０％の領域がＩＭＴ−２０２０インタフェース技術のカバレッジを有する可能性がある。
【０１６１】
図１２に示されたのはヘテロジニアスネットワーク配置の概略図であり、ＬＴＥ  Ｆ１の二つのセル（セルセットと見なされる）カバレッジ範囲下で複数の比較的小さいカバレッジを提供する小型基地局或いは小さいアクセスポイントを有し、一部はＷＩＦＩ  Ｆ２を支持し、一部はＩＭＴ−２０２０インタフェース技術のＦ４、ＷＩＦＩ  Ｆ５を支持し、図において全てのノードはより大きなマクロセルでカバレッジすることができる（図に示されない）。図から見れば、ＬＴＥ  Ｆ１のセルセットのカバレッジ領域に６０％の領域にＷＩＦＩカバレッジ（５０％の領域にＷＩＦＩ  Ｆ２カバレッジを有し、１０％の領域にＷＩＦＩ  Ｆ４カバレッジを有する可能性がある）を有する可能性があり、ＬＴＥ  Ｆ１のセルセットのカバレッジ領域に１０％の領域がＩＭＴ−２０２０インタフェース技術のカバレッジを有する可能性がある。
【０１６２】
図１３に示されたのはヘテロジニアスネットワーク配置の概略図であり、ＬＴＥ  Ｆ１の二つのセルの交差カバレッジ範囲（或いは端部領域）下で複数の比較的小さいカバレッジを提供する小型基地局或いは小さいアクセスポイントを有し、それらはＷＩＦＩ  Ｆ２とＬＴＥ  Ｆ３を支持する。図から見れば、ＬＴＥ  Ｆ１の二つのセルの交差カバレッジ領域に５０％の領域にＷＩＦＩカバレッジとＬＴＥ  Ｆ３カバレッジを有する可能性がある。
【０１６３】
異なったインタフェース技術或いは異なったモード（例えばＦＤＤ／ＴＤＤ）はマルチモード端末における通信モジュールは完全に独立し或いは部分的に独立する可能性があり、複数のインタフェース技術／モードの通信モジュールをオンするとより高い単位時間の消費電力を引き起こす可能性がある。
【０１６４】
図８〜図１３に示されたように、特定インタフェース技術／モードのカバレッジ範囲は間接的にあるカバレッジ範囲が比較的大きな通信インタフェース技術／モードのカバレッジによって推定することができる。つまり、ある通信インタフェース技術／モードのセルを発見すると特定インタフェース技術／モードへの発見を推定することができ、このように、複数のインタフェース技術／モードの通信モジュールをオンする必要がなく（このよ
うにして端末の単位時間の消費電力を低減することができる）、また比較的測定／発見しやすく或いは測定／発見コストが比較的小さい通信モード（例えばカバレッジ範囲が比較的大きな通信モード或いは前記マルチモード端末の現在動作キャリア周波数と同様な周波数、或いは特定の発見信号、発見キャリア周波数）によって比較的測定／発見しにくく或いは測定／発見コストが比較的高い通信モード（例えば前記マルチモード端末の現在動作キャリア周波数と異なった周波数／異なったインタフェース技術の通信モード、及び／又はカバレッジ範囲が比較的小さい通信モード）を発見することができ、優先度が比較的低い通信モードによって優先度が比較的高い通信モードを発見することができるのを意味し、特に料金の比較的高い通信モードによって料金の比較的低い通信モードを発見することができ、例えば３Ｇ或いはＬＴＥによってＷＬＡＮ或いは第五世代無線通信技術を発見し、このようにユーザが料金の比較的低い通信モードのサービス領域内でより多くのトラフィックフローを発生するのを促進することができる。
【０１６５】
実施例１
Ｉｄｌｅ状態マルチモード端末はセル放送のＷＩＦＩカバレッジ指示情報を受信（常駐）し、
或いは、接続状態マルチモード端末はセルから送信したＷＩＦＩカバレッジ指示情報を受信（サービス）する。
【０１６６】
前記カバレッジ指示情報は放送のシステム情報メッセージに、或いは単独放送のメッセージ例えばＲＲＣ再設定メッセージにおいて指定されたマルチモード端末に送信することができる。
【０１６７】
前記指定されたマルチモード端末は自身に保存したマルチモード端末の能力に基づいて、選択された一つ或いは複数のマルチモード端末に送信する。
【０１６８】
さらに、上記指定されたマルチモード端末は受信した前記カバレッジ指示情報に基づいて、ＷＩＦＩサービス領域を発見する。
【０１６９】
実施例２
Ｉｄｌｅ状態マルチモード端末は（常駐した）セル放送のＩＭＴ−２０２０インタフェース技術のカバレッジ指示情報を受信し、
或いは、接続状態マルチモード端末はセルから送信したＩＭＴ−２０２０インタフェース技術のカバレッジ指示情報を受信（サービス）する。
【０１７０】
前記カバレッジ指示情報は放送のシステム情報メッセージに、或いは単独放送のメッセージ例えばＲＲＣ再設定メッセージにおいて前記マルチモード端末に送信することができる。
【０１７１】
さらに、上記指定されたマルチモード端末は受信した前記カバレッジ指示情報に基づいて、ＩＭＴ−２０２０インタフェース技術のサービス領域を発見する。
【０１７２】
実施例３
Ｉｄｌｅ状態にあるマルチモード端末は（常駐した）ＦＤＤセル放送のＴＤＤモードのカバレッジ指示情報を受信し、接続状態にある前記マルチモード端末はＦＤＤセルから送信したＴＤＤモードのカバレッジ指示情報を受信（サービス）し、
前記マルチモード端末は受信したカバレッジ指示情報に基づいて、ＴＤＤモードのサービス領域を発見する。
【０１７３】
前記カバレッジ指示情報は放送のシステム情報メッセージに、或いは単独放送のメッセ
ージ例えばＲＲＣ再設定メッセージにおいてマルチモード端末に送信することができる。
【０１７４】
類似的に、ＴＤＤセルから送信したＦＤＤモードのカバレッジ指示情報によって、マルチモード端末はまたＦＤＤモードのサービス領域を発見することができる。
【０１７５】
実施例４
Ｉｄｌｅ状態にあるマルチモード端末は（常駐した）セル放送の特定セルＷＩＦＩのカバレッジ指示情報を受信し、接続状態にあるマルチモード端末はセルから送信した特定セルＷＩＦＩのカバレッジ指示情報を受信（サービス）し、前記情報は放送のシステム情報メッセージに或いは単独放送のメッセージ例えばＲＲＣ再設定メッセージにおいてマルチモード端末に送信することができる。
【０１７６】
前記特定セルＷＩＦＩのカバレッジ指示情報において、セルの識別子によって特定のセルを表示し、例えば物理セル識別子（ＰＣＩ）、キャリア周波数番号（例えばＥ−ＵＴＲＡＮ絶対周波数番号ＥＡＲＦＣＮ）と物理セル識別子（ＰＣＩ）、グローバルセル識別子（Ｃｅｌｌ  Ｇｌｏｂａｌ  Ｉｄｅｎｔｉｔｙ、ＣＧＩと略記する）である。
【０１７７】
マルチモード端末は特定セル（例えばスキャン或いは測定によって、そのうちセルへの識別過程を含む）を発見し、するとマルチモード端末はＷＩＦＩサービス領域を発見する。
【０１７８】
類似的に、セルから送信した特定セルの特定インタフェース技術或いはモード（例えばＩＭＴ−２０２０インタフェース技術、高帯域通信キャリア周波数／インタフェース技術、或いはＴＤＤ通信モード、或いはＦＤＤ通信モード）のカバレッジ指示情報によって、マルチモード端末はＩＭＴ−２０２０インタフェース技術のサービス領域、或いは高帯域通信キャリア周波数／インタフェース技術、或いはＴＤＤ通信モードのサービス領域、或いはＦＤＤ通信モードのサービス領域を発見することもできる。
【０１７９】
実施例５
Ｉｄｌｅ状態のマルチモード端末は（常駐した）セル放送の特定基地局ＷＩＦＩのカバレッジ指示情報を受信し、或いは接続状態のマルチモード端末はセルから送信した特定基地局ＷＩＦＩのカバレッジ指示情報を受信（サービス）し、（該情報は放送のシステム情報メッセージに或いは単独放送のメッセージ例えばＲＲＣ再設定メッセージに含まれることができる）前記特定基地局は基地局の識別子、例えばｅＮＢ  ＩＤ或いはＭＡＣアドレス、或いは基地局に対応する一つ或いは複数のセルの識別子によって指示する。
【０１８０】
マルチモード端末は特定の基地局（例えばスキャン或いは測定によって、そのうちセルへの識別過程を含む）を発見し、するとマルチモード端末はＷＩＦＩサービス領域を発見する。
【０１８１】
類似的に、セルから送信した特定基地局の特定インタフェース技術或いはモード（例えばＩＭＴ−２０２０インタフェース技術、或いは高帯域通信キャリア周波数／インタフェース技術、或いはＴＤＤ通信モード、或いはＦＤＤ通信モード）のカバレッジ指示情報によって、マルチモード端末はＩＭＴ−２０２０インタフェース技術のサービス領域、或いは高帯域通信キャリア周波数／インタフェース技術、或いはＴＤＤ通信モードのサービス領域、或いはＦＤＤ通信モードのサービス領域を発見することもできる。
【０１８２】
実施例６
Ｉｄｌｅ状態のマルチモード端末は（常駐した）セル放送の特定基地局ＷＩＦＩのカバレッジ指示情報を受信し、或いは接続状態のマルチモード端末はセルから送信した特定セ
ルセットＷＩＦＩのカバレッジ指示情報を受信（サービス）（該情報は放送のシステム情報メッセージに或いは単独放送のメッセージ例えばＲＲＣ再設定メッセージに含まれることができる）し、特定セルセットはセルの識別子の範囲例えば物理セル識別子（ＰＣＩ）範囲、キャリア周波数番号（例えばＥ−ＵＴＲＡＮ絶対周波数番号ＥＡＲＦＣＮ）と物理セル識別子（ＰＣＩ）範囲、グローバルセル識別子（Ｃｅｌｌ  Ｇｌｏｂａｌ  Ｉｄｅｎｔｉｔｙ、ＣＧＩと略記する）範囲で指示される。
【０１８３】
マルチモード端末は特定セルセットに属したセル（例えばスキャン或いは測定、そのうちセルへの識別過程を含み、一つ或いは複数のセルの識別子が指示されたセル識別子の範囲内にあるのを発見される）を発見し、するとマルチモード端末はＷＩＦＩサービス領域を発見する。
【０１８４】
類似的に、セルから送信した特定セルセットの特定インタフェース技術或いはモード（例えばＩＭＴ−２０２０インタフェース技術、或いは高帯域通信キャリア周波数／インタフェース技術、或いはＴＤＤ通信モード、或いはＦＤＤ通信モード）のカバレッジ指示情報によって、マルチモード端末はＩＭＴ−２０２０インタフェース技術のサービス領域、或いは高帯域通信キャリア周波数／インタフェース技術、或いはＴＤＤ通信モードのサービス領域、或いはＦＤＤ通信モードのサービス領域を発見することもできる。類似的に、特定基地局セットの特定インタフェース技術或いはモードのカバレッジ指示情報も端末が特定インタフェース技術或いはモードのサービス領域の発見を助けるために用いられる。
【０１８５】
実施例７
Ｉｄｌｅ状態のマルチモード端末は（常駐した）セル放送の特定キャリア周波数ＷＩＦＩのカバレッジ指示情報を受信し、或いは接続状態のマルチモード端末はセルから送信した特定キャリア周波数ＷＩＦＩのカバレッジ指示情報を受信（サービス）（該情報は放送のシステム情報メッセージに或いは単独放送のメッセージ例えばＲＲＣ再設定メッセージに含まれることができる）する。
【０１８６】
前記特定キャリア周波数はキャリア周波数番号（例えばＥ−ＵＴＲＡＮ絶対周波数番号ＥＡＲＦＣＮ）によって指示する。
【０１８７】
マルチモード端末は特定キャリア周波数（例えばスキャン或いは測定による）を発見し、するとマルチモード端末はＷＩＦＩサービス領域を発見する。
【０１８８】
類似的に、セルから送信した特定キャリア周波数の特定インタフェース技術或いはモード（例えばＩＭＴ−２０２０インタフェース技術、或いは高帯域通信キャリア周波数／インタフェース技術、或いはＴＤＤ通信モード、或いはＦＤＤ通信モード）のカバレッジ指示情報によって、マルチモード端末はＩＭＴ−２０２０インタフェース技術のサービス領域、或いは高帯域通信キャリア周波数／インタフェース技術、或いはＴＤＤ通信モードのサービス領域、或いはＦＤＤ通信モードのサービス領域を発見することもできる。
【０１８９】
実施例８
実施例１〜３における特定インタフェース技術或いはモード（例えばＷＩＦＩ、高帯域通信キャリア周波数／インタフェース技術、ＩＭＴ−２０２０インタフェース技術、或いはＴＤＤモード、或いはＦＤＤモード）のカバレッジ指示情報はさらに条件発見パラメータ、例えば、測定評価パラメータであることができる。
【０１９０】
マルチモード端末はサービス領域（或いは常駐したセル）の信号受信パワー（例えばＲＳＲＰ）、及び／又は信号受信品質（ＲＳＲＱ）、或いは信号受信強度（ＲＳＳＩ）を前記測定評価パラメータと比較し、指定条件を満たし、マルチモード端末は特定インタフェ
ース技術或いはモードのサービス領域を発見する。前記指定条件はＲＳＲＰ＞測定評価パラメータ時であることができる。
【０１９１】
実施例９
実施例４〜７における特定インタフェース技術或いはモード（例えばＷＩＦＩ、ＩＭＴ−２０２０インタフェース技術、高帯域通信キャリア周波数／インタフェース技術、或いはＴＤＤモード、或いはＦＤＤモード）のカバレッジ指示情報はさらに条件発見パラメータ、例えば、測定評価パラメータであることができる。
【０１９２】
マルチモード端末は特定セル、或いは特定セルセット、或いは特定基地局、或いは特定基地局セット、或いは特定キャリア周波数を発見する過程において、指定条件を満たすと、マルチモード端末は特定インタフェース技術或いはモードのサービス領域を発見するのを過程する。
【０１９３】
前記指定条件を満たすのは、セル或いは基地局或いはキャリア周波数の信号受信パワー（例えばＲＳＲＰ）、及び／又は信号受信品質（ＲＳＲＱ）或いは信号受信強度（ＲＳＳＩ）を測定評価パラメータと比較し、特定条件（例えばＲＳＲＰ＞測定評価パラメータ時）或いは一グループの条件（例えば図Ｘに対するシーン、セルＡのＲＳＲＰ＜測定評価パラメータ１、セルＢのＲＳＲＰ＜測定評価パラメータ２）を満たす。
【０１９４】
実施例１０
実施例４〜７、及び実施例９におけるカバレッジ指示情報は接続ネットワーク（例えばセル／基地局）の情報から由来し、実際に、特定インタフェース技術或いはモード（例えばＷＩＦＩ、ＩＭＴ−２０２０インタフェース技術、高帯域通信キャリア周波数／インタフェース技術、或いはＴＤＤモード、或いはＦＤＤモード）のサービス領域を発見するために、マルチモード端末はコアネットワークエレメント例えばＡＮＤＳＦ（Ａｃｔｉｖｅ
Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）から類似的なカバレッジ指示情報（これらの情報はコアネットワークから生成し、接続ネットワークによって端末に送信する）を受信し、ここで詳細な説明を行わない。
【０１９５】
実施例１１
実施例１〜１０におけるカバレッジ指示情報はさらにカバレッジ・レシオ或いは発見確率を含むことができ、特定インタフェース技術或いはモードの発見された領域に、特定インタフェース技術或いはモードの実際カバレッジの領域の割合（或いは高、中又は低であるか否か）を指示するためである。
【０１９６】
例えば、ＷＩＦＩカバレッジ指示情報はさらにカバレッジ・レシオ８０％を含み、上記の方法でＷＩＦＩのサービス領域を発見すると、実際にＷＩＦＩカバレッジのある領域は８０％を占め、或いは上記の方法によってＷＩＦＩのサービス領域を発見すると、実際にＷＩＦＩ  ＡＰへのスキャンによって接続可能な確率は８０％（この意味から、カバレッジ・レシオは実際の発見と名義的な発見の比であり、即ち発見確率である）を占めるのを意味する。
【０１９７】
カバレッジ・レシオはマルチモード端末或いはユーザが後続の判断と政策決定を補助するために用いられる。例えばマルチモード端末はカバレッジ・レシオに基づいて、特定インタフェース技術或いは特定モードへのスキャン／測定（例えばマルチモード端末はカバレッジ・レシオが特定の閾より高いときにスキャン／測定を起動し、さらに例えば、マルチモード端末は一つの乱数を生成し、カバレッジ・レシオが乱数より大きい場合にスキャン／測定を起動し、乱数の生成は周期的或いはイベントトリガーである可能性がある）を起動するか否かを判断する。
【０１９８】
或いは特定インタフェース技術或いは特定モードへのスキャン／測定の周期／頻度を確定し、及び／又は特定セル（例えば特定セルセット或いは特定基地局、特定基地局セット、特定キャリア周波数）の持続判断或いは遅延時間（例えば特定セルの測定信号の強度が１秒を維持しかつ特定閾より高いのみときに特定インタフェース技術或いは特定モードのサービス領域が発見されると見なされる）を発見するのを確定する。ユーザが特定インタフェース技術或いは特定モードの通信モジュールを起動するか否かを決定するために、カバレッジ・レシオはさらにユーザインタフェースによってユーザに提供する。
【０１９９】
実施例１２
実施例１〜１０におけるカバレッジ指示情報はさらに特定インタフェース技術／モードへの発見或いは発見の後続処理を制御するための数字パラメータを含むことができ、マルチモード端末は数字が特定の閾より高いときに特定インタフェース技術／モードのサービス領域を発見すると見なされ、或いはさらにスキャン／測定を起動し、さらに例えば、マルチモード端末は一つの乱数を生成し、数字パラメータが乱数より大きい場合に特定インタフェース技術／モードのサービス領域を発見すると見なされ或いはスキャン／測定を起動し、乱数の生成は周期的或いはイベントトリガーである可能性がある。
【０２００】
カバレッジ指示情報はさらに特定インタフェース技術或いは特定モードへのスキャン／測定の周期／頻度を確定するパラメータ、及び／又は特定セル（例えば特定セルセット或いは特定基地局、特定基地局セット、特定キャリア周波数）の持続判断或いは遅延時間（例えば特定セルの測定信号の強度が１秒を維持した後に特定インタフェース技術或いは特定モードのサービス領域が発見されると見なされる）のパラメータを含むことができる。
【０２０１】
実施例１３
実施例１〜１１における方法において、特定インタフェース技術／モードのカバレッジ指示情報はさらに特定インタフェース技術／モードの帯域情報（例えばＷＩＦＩの２．４Ｇ帯域、５Ｇ帯域、ＩＭＴスペクトルのＢａｎｄ番号）、キャリア周波数情報（例えばＥＡＲＦＣＮ）、セル情報、サービスセット（Ｓｅｒｖｉｃｅ  Ｓｅｔ）情報、ネットワークオペレーター情報（例えばＰＬＭＮ識別子）を含み、さらに特定インタフェース技術／モードの負荷情報、能力情報、省エネルギー状態情報を含むことができ、端末或いはユーザの後続判断或いは政策決定などの処理に用いられ、例えば端末は事前に該インタフェース技術／モードに接続可能性があるか否かを判断する。
【０２０２】
矛盾しない場合で、以上の実施例の方法を組み合わせることができる。ある場合（例えば装置から装置通信、隣接通信、リレー通信）において、ユーザ装置はアクセスポイントとしてトランジットネットワークと前記マルチモード端末との間或いは前記マルチモード端末と前記マルチモード端末との間のデータ或いは直接他のユーザ装置とデータインタラクティブを行うことができ、アクセスポイントとするマルチモードユーザ装置は本発明におけるマルチモード基地局／マルチモードアクセスポイントを発見する方法にも適用する。
【０２０３】
以上の説明は、本発明の最適的な実施例に過ぎなく、本発明の保護範囲を限定することに用いられるものではない。
【図１】
0006563448.tif 000002
【図２】
0006563448.tif 000003
【図３】
0006563448.tif 000004
【図４】
0006563448.tif 000005
【図５】
0006563448.tif 000006
【図６】
0006563448.tif 000007
【図７】
0006563448.tif 000008
【図８】
0006563448.tif 000009
【図９】
0006563448.tif 000010
【図１０】
0006563448.tif 000011
【図１１】
0006563448.tif 000012
【図１２】
0006563448.tif 000013
【図１３】
0006563448.tif 000014